(57)【要約】【課題】視聴者が違和感を抱くことのない逆再生が可能な再生処理装置を提供する。【解決手段】音声データを取得する音声データ取得手段１００と、音声データにおいて、発声にかかる音声を含む発声部分を識別する発声部分識別手段１０２と、発声部分の発声内容に基づいて、音声データを言語的に意味を持つ単位の部分音声データに分割する音声データ分割手段１０６と、複数の部分音声データを、音声データの再生方向と逆方向に沿った順に配列し、かつ各部分音声データに含まれる複数のフレームを当該音声データの再生方向と同一の方向に配列する部分音声データ再配列手段１０８と、複数の部分音声データを部分音声データ再配列手段１０８による配列順に再生する音声逆再生手段１１０とを備えた。【選択図】        図１
2006276793.tif 000002
【特許請求の範囲】
【請求項１】
再生可能なデータを処理する再生処理装置であって、
前記再生可能なデータとして音声データを取得する音声データ取得手段と、
前記音声データ取得手段が取得した前記音声データにおいて、発声にかかる音声を含む発声部分を識別する発声部分識別手段と、
前記発声部分識別手段が識別した発声部分の発声内容に基づいて、前記音声データを言語的に意味を持つ単位の部分音声データに分割する音声データ分割手段と、
前記音声データ分割手段によって得られた複数の部分音声データを、前記音声データの再生方向と逆方向に沿った順に配列し、かつ各部分音声データに含まれる複数のフレームを当該音声データの再生方向と同一の方向に配列する部分音声データ再配列手段と、
前記音声データを前記部分音声データ再配列手段による配列順に再生する音声逆再生手段と
を備えたことを特徴とする再生処理装置。
【請求項２】
前記部分音声データ再配列手段によって再配列された複数の部分音声データを再配列の順に再生可能に格納する再配列音声データ格納手段をさらに備え、
前記音声逆再生手段は、前記再配列音声データ格納手段が格納している複数の前記部分音声データを再配列の順に再生することを特徴とする請求項１に記載の再生処理装置。
【請求項３】
前記再配列音声データ格納手段は、前記部分音声データ再配列手段によって再配列された複数の部分音声データを再配列の順に格納することを特徴とする請求項２に記載の再生処理装置。
【請求項４】
前記音声データ分割手段は、前記音声データを文節単位で分割することを特徴とする請求項１から３のいずれか一項に記載の再生処理装置。
【請求項５】
前記音声データに同期した映像データを取得する映像データ取得手段と、
前記映像データ取得手段が取得した前記映像データにおける、前記音声データ分割手段によって分割された前記音声データの分割位置に同期する位置を分割位置として、前記映像データを複数の部分映像データに分割する映像データ分割手段と、
前記映像データ分割手段によって得られた複数の部分映像データを、前記映像データの再生方向と逆方向に沿った順に配列する部分映像データ再配列手段と、
前記音声逆再生手段が前記複数の部分音声データを再生するのに同期させて、前記複数の部分映像データを前記部分映像データ再配列手段による配列順に再生する映像逆再生手段と
をさらに備えたことを特徴とする請求項１から４のいずれか一項に記載の再生処理装置。
【請求項６】
前記部分映像データ再配列手段は、各部分映像データに含まれる複数のフレームを前記映像データの再生方向と同一の方向に配列することを特徴とする請求項５に記載の再生処理装置。
【請求項７】
前記部分映像データ再配列手段によって再配列された複数の部分映像データを再配列の順に再生可能に格納する再配列映像データ格納手段をさらに備え、
前記映像逆再生手段は、前記再配列映像データ格納手段が格納している複数の前記部分映像データを、前記再配列の順に再生することを特徴とする請求項５または６に記載の再生処理装置。
【請求項８】
前記映像データから前記音声データに同期して変化する領域を示す同期領域映像データを抽出する同期領域映像抽出手段をさらに備え、
前記部分映像データ再配列手段は、前記同期領域映像抽出手段によって抽出された同期領域映像データに含まれる複数のフレームを、前記音声逆再生手段が音声データに含まれるフレームを再生する順番と同一の順番に配列し、かつ前記映像データのうち前記音声データに同期して変化する領域以外の領域を示す非同期領域映像データに含まれる再生方向に沿って配列された複数のフレームを前記映像データの再生方向と逆順に連続して再配列し、
前記部分映像データ再配列手段によって再配列された再配列同期領域映像データ中の複数のフレームそれぞれと、前記部分映像データ再配列手段によって再配列された再配列非同期領域映像データ中の複数のフレームのうち、再配列同期領域映像データ中の前記フレームと同一の順番に配列されたフレームとを再合成して再合成映像データを得る映像データ再合成手段をさらに備え、
前記映像逆再生手段は、前記映像データ再合成手段によって得られた前記再合成映像データを、前記音声逆再生手段によって再生される前記複数の前記部分音声データに同期して再生することを特徴とする請求項５から７のいずれか一項に記載の再生処理装置。
【請求項９】
前記映像データ再合成手段によって再合成された再合成映像データを格納する再合成映像データ格納手段をさらに備え、
前記映像逆再生手段は、前記再合成映像データ格納手段が格納している前記再合成映像データを再生することを特徴とする請求項８に記載の再生処理装置。
【請求項１０】
前記部分同期映像データが、同期すべき前記部分音声データに対応する映像であるか否かを判断する発声照合手段をさらに備え、
前記映像逆再生手段は、前記発声照合手段が前記部分同期映像データが前記部分音声データに対応する映像であると判断した場合に、前記同期映像データを前記再生方向に再生することを特徴とする請求項８または９に記載の再生処理装置。
【請求項１１】
前記部分同期映像データが、同期すべき前記部分音声データに対応する映像であるか否かを判断する発声照合手段をさらに備え、
前記映像逆再生手段は、前記発声照合手段が前記部分同期映像データが前記部分音声データに対応する映像でないと判断した場合に、前記同期映像データを再生方向と逆の方向に再生することを特徴とする請求項８または９に記載の再生処理装置。
【請求項１２】
前記同期領域映像抽出手段は、前記映像データから人物の画像を切り出すことを特徴とする請求項８から１１のいずれか一項に記載の再生処理装置。
【請求項１３】
前記同期領域映像抽出手段は、前記映像データから人物の顔の画像を切り出すことを特徴とする請求項８から１１のいずれか一項に記載の再生処理装置。
【請求項１４】
前記同期領域映像抽出手段は、前記映像データから人物の口の画像を切り出すことを特徴とする請求項８から１１のいずれか一項に記載の再生処理装置。
【請求項１５】
再生すべきデータを処理する再生処理装置と、前記再生処理装置によって処理された再生データを逆再生する再生装置とを備えた再生処理システムであって、
前記再生処理装置は、
前記再生データとして、音声データを取得する音声データ取得手段と、
前記音声データ取得手段が取得した前記音声データにおいて、発声にかかる音声を含む発声部分を識別する発声部分識別手段と、
前記発声部分識別手段が識別した発声部分の発声内容に基づいて、前記音声データを言語的に意味を持つ単位の部分音声データに分割する位置を特定する音声データ分割位置特定手段と、
前記音声データを、前記音声データ分割位置特定手段により特定された位置を認識可能に記録媒体に格納する記録媒体制御手段と
を有し、
前記再生装置は、
前記記録媒体から前記音声データを読み出す音声データ読出手段と、
前記音声データ読出手段が読み出した前記音声データの前記分割位置において前記音声データを分割し複数の部分音声データを得る音声データ分割手段と、
前記音声データ分割手段によって得られた複数の部分音声データを、前記音声データの再生方向と逆方向に沿った順に配列し、かつ各部分音声データに含まれる複数のフレームを当該音声データの再生方向と同一の方向に配列する部分音声データ再配列手段と、
前記音声データを前記部分音声データ再配列手段による配列順に再生する音声逆再生手段と
を有することを特徴とする再生処理システム。
【請求項１６】
再生可能なデータを処理する再生処理装置であって、
前記再生可能なデータである音声データを、当該音声データを言語的に意味を持つ単位に分割する分割位置を認識可能に記録した記録媒体から前記音声データを読み出す音声データ読出手段と、
前記音声データ読出手段が読み出した前記音声データの前記分割位置において前記音声データを分割し複数の部分音声データを得る音声データ分割手段と、
前記音声データ分割手段によって得られた複数の部分音声データを、前記音声データの再生方向と逆方向に沿った順に配列し、かつ各部分音声データに含まれる複数のフレームを当該音声データの再生方向と同一の方向に配列する部分音声データ再配列手段と、
前記音声データを前記部分音声データ再配列手段による配列順に再生する音声逆再生手段と
を備えたことを特徴とする再生処理装置。
【請求項１７】
再生可能なデータを処理する再生処理装置であって、
前記再生可能なデータとして、音声データを取得する音声データ取得手段と、
前記音声データ取得手段が取得した前記音声データにおいて、発声にかかる音声を含む発声部分を識別する発声部分識別手段と、
前記発声部分識別手段が識別した発声部分の発声内容に基づいて、前記音声データを言語的に意味を持つ単位の部分音声データに分割する位置を特定する音声データ分割位置特定手段と、
前記音声データを、前記音声データ分割位置特定手段により特定された位置を認識可能に記録媒体に格納する記録媒体制御手段と
を備えたことを特徴とする再生処理装置。
【請求項１８】
再生可能なデータを記録した音声データのデータ構造であって、
前記再生可能なデータである音声データを、当該音声データを言語的に意味を持つ単位に分割する分割位置を認識可能に記録したことを特徴とする音声データのデータ構造。
【請求項１９】
再生すべきデータを処理する再生処理装置と、前記再生処理装置によって処理された再生データを逆再生する再生装置とを備えた再生処理システムであって、
前記再生処理装置は、
前記再生データとして、音声データを取得する音声データ取得手段と、
前記音声データ取得手段が取得した前記音声データにおいて、発声にかかる音声を含む発声部分を識別する発声部分識別手段と、
前記発声部分識別手段が識別した発声部分の発声内容に基づいて、前記音声データを言語的に意味を持つ単位の部分音声データに分割する音声データ分割手段と、
前記音声データ分割手段によって得られた複数の部分音声データを、前記音声データの再生方向と逆方向に沿った順に配列する部分音声データ配列順と、各部分音声データに含まれる複数のフレームを当該音声データの再生方向と同一の方向に配列するフレーム配列順とを認識可能に記録媒体に格納する記録媒体制御手段と
を有し、
前記再生装置は、
前記記録媒体に格納されている前記音声データを読み出す音声データ読出手段と、
前記音声データ読出手段が読み出した前記音声データを前記部分音声データ再配列手段による配列順に再生する音声逆再生手段と
を有することを特徴とする再生処理システム。
【請求項２０】
再生可能なデータを処理する再生処理装置であって、
前記再生可能なデータである音声データを言語的に意味を持つ単位に分割して得られた複数の部分音声データを、当該音声データの再生方向と逆方向に沿った順に配列する部分音声データ配列順と、各部分音声データに含まれる複数のフレームを当該音声データの再生方向と同一の方向に配列するフレーム配列順とを認識可能に記録した記録媒体から前記複数の部分音声データを読み出す音声データ読出手段と、
前記音声データ読出手段が読み出した前記複数の部分音声データを前記部分音声データ配列順に配列し、各部分音声データに含まれる複数のフレームを前記フレーム配列順に配列する部分音声データ再配列手段と、
前記音声データを前記部分音声データ再配列手段による配列順に再生する音声逆再生手段と
を備えたことを特徴とする再生処理装置。
【請求項２１】
再生可能なデータを処理する再生処理装置であって、
前記再生可能なデータとして、音声データを取得する音声データ取得手段と、
前記音声データ取得手段が取得した前記音声データにおいて、発声にかかる音声を含む発声部分を識別する発声部分識別手段と、
前記発声部分識別手段が識別した発声部分の発声内容に基づいて、前記音声データを言語的に意味を持つ単位の部分音声データに分割する位置を特定する音声データ分割位置特定手段と、
前記音声データ分割位置特定手段によって特定された位置で前記音声データを分割することにより得られる複数の部分音声データを、前記音声データの再生方向と逆方向に沿った順に配列する配列順と、各部分音声データに含まれる複数のフレームを当該音声データの再生方向と同一の方向に配列するフレーム配列順とを認識可能に記録媒体に格納する記録媒体制御手段と
を備えたことを特徴とする再生処理装置。
【請求項２２】
再生可能なデータを記録した音声データのデータ構造であって、
前記再生可能なデータである音声データを言語的に意味を持つ単位に分割して得られた複数の部分音声データを、当該音声データの再生方向と逆方向に沿った順に配列する部分音声データ配列順と、各部分音声データに含まれる複数のフレームを当該音声データの再生方向と同一の方向に配列するフレーム配列順とを認識可能に記録したことを特徴とする音声データのデータ構造。
【請求項２３】
再生すべきデータを処理する再生処理装置と、前記再生処理装置によって処理された再生データを逆再生する再生装置とを備えた再生処理システムであって、
前記再生処理装置は、
前記再生可能なデータとして音声データを取得する音声データ取得手段と、
前記音声データ取得手段が取得した前記音声データにおいて、発声にかかる音声を含む発声部分を識別する発声部分識別手段と、
前記発声部分識別手段が識別した発声部分の発声内容に基づいて、前記音声データを言語的に意味を持つ単位の部分音声データに分割する音声データ分割手段と、
前記音声データ分割手段によって得られた複数の部分音声データを、前記音声データの再生方向と逆方向に沿った順に配列し、かつ各部分音声データに含まれる複数のフレームを当該音声データの再生方向と同一の方向に配列する部分音声データ再配列手段と、
前記音声逆再生手段に再配列された前記音声データを記録媒体に格納する記録媒体制御手段と
を有し、
前記再生装置は、
前記記録媒体から前記音声データを読み出す音声データ読出手段と、
前記音声データ読出手段が読み出した前記複数の部分音声データを前記部分音声データ再配列手段による配列順に再生する音声逆再生手段と
を有することを特徴とする再生処理システム。
【請求項２４】
再生可能なデータを処理する再生処理方法であって、
前記再生可能なデータとして音声データを取得する音声データ取得ステップと、
前記音声データ取得ステップにおいて取得した前記音声データにおいて、発声にかかる音声を含む発声部分を識別する発声部分識別ステップと、
前記発声部分識別ステップにおいて識別した発声部分の発声内容に基づいて、前記音声データを言語的に意味を持つ単位の部分音声データに分割する音声データ分割ステップと、
前記音声データ分割ステップにおいて得られた複数の部分音声データを、前記音声データの再生方向と逆方向に沿った順に配列し、かつ各部分音声データに含まれる複数のフレームを当該音声データの再生方向と同一の方向に配列する部分音声データ再配列ステップと、
前記音声データを前記部分音声データ再配列ステップにおいて配列された配列順に再生する音声逆再生ステップと
を有することを特徴とする再生処理方法。
【請求項２５】
再生可能なデータを処理する再生処理をコンピュータに実行させる再生処理プログラムであって、
前記再生可能なデータとして音声データを取得する音声データ取得ステップと、
前記音声データ取得ステップにおいて取得した前記音声データにおいて、発声にかかる音声を含む発声部分を識別する発声部分識別ステップと、
前記発声部分識別ステップにおいて識別した発声部分の発声内容に基づいて、前記音声データを言語的に意味を持つ単位の部分音声データに分割する音声データ分割ステップと、
前記音声データ分割ステップにおいて得られた複数の部分音声データを、前記音声データの再生方向と逆方向に沿った順に配列し、かつ各部分音声データに含まれる複数のフレームを当該音声データの再生方向と同一の方向に配列する部分音声データ再配列ステップと、
前記音声データを前記部分音声データ再配列ステップにおいて配列された配列順に再生する音声逆再生ステップと
を有することを特徴とする再生処理プログラム。
【請求項２６】
再生すべきデータを処理する再生処理装置と、前記再生処理装置によって処理された再生データを逆再生する再生装置とを備えた再生処理システムにおける再生処理方法であって、
前記再生処理装置が、前記再生データとして、音声データを取得する音声データ取得ステップと、
前記再生処理装置が、前記音声データ取得ステップにおいて取得した前記音声データにおいて、発声にかかる音声を含む発声部分を識別する発声部分識別ステップと、
前記再生処理装置が、前記発声部分識別ステップにおいて識別した発声部分の発声内容に基づいて、前記音声データを言語的に意味を持つ単位の部分音声データに分割する位置を特定する音声データ分割位置特定ステップと、
前記再生処理装置が、前記音声データを、前記音声データ分割位置特定ステップにおいて特定された位置を認識可能に記録媒体に格納する記録媒体制御ステップと、
前記再生装置が、前記記録媒体から前記音声データを読み出す音声データ読出ステップと、
前記再生装置が、前記音声データ読出ステップにおいて読み出した前記音声データの前記分割位置において前記音声データを分割し複数の部分音声データを得る音声データ分割ステップと、
前記再生装置が、前記音声データ分割ステップにおいて得られた複数の部分音声データを、前記音声データの再生方向と逆方向に沿った順に配列し、かつ各部分音声データに含まれる複数のフレームを当該音声データの再生方向と同一の方向に配列する部分音声データ再配列ステップと、
前記再生装置が、前記音声データを前記部分音声データ再配列ステップおいて配列された配列順に再生する音声逆再生ステップと
を有することを特徴とする再生処理方法。
【請求項２７】
再生可能なデータを処理する再生処理をコンピュータに実行させる再生処理プログラムであって、
前記再生可能なデータである音声データを、当該音声データを言語的に意味を持つ単位に分割する分割位置を認識可能に記録した記録媒体から前記音声データを読み出す音声データ読出ステップと、
前記音声データ読出ステップが読み出した前記音声データの前記分割位置において前記音声データを分割し複数の部分音声データを得る音声データ分割ステップと、
前記音声データ分割ステップにおいて得られた複数の部分音声データを、前記音声データの再生方向と逆方向に沿った順に配列し、かつ各部分音声データに含まれる複数のフレームを当該音声データの再生方向と同一の方向に配列する部分音声データ再配列ステップと、
前記音声データを前記部分音声データ再配列ステップにおいて配列された配列順に再生する音声逆再生ステップと
を有することを特徴とする再生処理プログラム。
【請求項２８】
再生可能なデータを処理する再生処理をコンピュータに実行させる再生処理プログラムであって、
前記再生可能なデータとして、音声データを取得する音声データ取得ステップと、
前記音声データ取得ステップにおいて取得した前記音声データにおいて、発声にかかる音声を含む発声部分を識別する発声部分識別ステップと、
前記発声部分識別ステップにおいて識別した発声部分の発声内容に基づいて、前記音声データを言語的に意味を持つ単位の部分音声データに分割する位置を特定する音声データ分割位置特定ステップと、
前記音声データを、前記音声データ分割位置特定ステップにおいて特定された位置を認識可能に記録媒体に格納する記録媒体制御ステップと
を有することを特徴とする再生処理プログラム。
【請求項２９】
再生すべきデータを処理する再生処理装置と、前記再生処理装置によって処理された再生データを逆再生する再生装置とを備えた再生処理システムにおける再生処理方法であって、
前記再生処理装置が、前記再生データとして、音声データを取得する音声データ取得ステップと、
前記再生処理装置が、前記音声データ取得ステップにおいて取得した前記音声データにおいて、発声にかかる音声を含む発声部分を識別する発声部分識別ステップと、
前記再生処理装置が、前記発声部分識別ステップにおいて識別した発声部分の発声内容に基づいて、前記音声データを言語的に意味を持つ単位の部分音声データに分割する音声データ分割ステップと、
前記再生処理装置が、前記音声データ分割ステップにおいて得られた複数の部分音声データを、前記音声データの再生方向と逆方向に沿った順に配列する部分音声データ配列順と、各部分音声データに含まれる複数のフレームを当該音声データの再生方向と同一の方向に配列するフレーム配列順とを認識可能に記録媒体に格納する記録媒体制御ステップと、
前記再生装置が、前記記録媒体に格納されている前記音声データを読み出す音声データ読出ステップと、
前記再生装置が、前記音声データ読出ステップにおいて読み出した前記音声データを前記部分音声データ再配列手段による配列順に再生する音声逆再生ステップと
を有することを特徴とする再生処理方法。
【請求項３０】
再生可能なデータを処理する再生処理をコンピュータに実行させる再生処理プログラムであって、
前記再生可能なデータである音声データを言語的に意味を持つ単位に分割して得られた複数の部分音声データを、当該音声データの再生方向と逆方向に沿った順に配列する部分音声データ配列順と、各部分音声データに含まれる複数のフレームを当該音声データの再生方向と同一の方向に配列するフレーム配列順とを認識可能に記録した記録媒体から前記複数の部分音声データを読み出す読出ステップと、
前記音声データ読出ステップにおいて読み出した前記複数の部分音声データを前記部分音声データ配列順に配列し、各部分音声データに含まれる複数のフレームを前記フレーム配列順に配列する部分音声データ再配列ステップと、
前記音声データを前記部分音声データ再配列ステップにおいて配列された配列順に再生する音声逆再生ステップと
を有することを特徴とする再生処理プログラム。
【請求項３１】
再生可能なデータを処理する再生処理をコンピュータに実行させる再生処理プログラムであって、
前記再生可能なデータとして、音声データを取得する音声データ取得ステップと、
前記音声データ取得ステップにおいて取得した前記音声データにおいて、発声にかかる音声を含む発声部分を識別する発声部分識別ステップと、
前記発声部分識別ステップにおいて識別した発声部分の発声内容に基づいて、前記音声データを言語的に意味を持つ単位の部分音声データに分割する位置を特定する音声データ分割位置特定ステップと、
前記音声データ分割位置特定ステップにおいて特定された位置で前記音声データを分割することにより得られる複数の部分音声データを、前記音声データの再生方向と逆方向に沿った順に配列する配列順と、各部分音声データに含まれる複数のフレームを当該音声データの再生方向と同一の方向に配列するフレーム配列順とを認識可能に記録媒体に格納する記録媒体制御ステップと
を有することを特徴とする再生処理プログラム。
【請求項３２】
再生すべきデータを処理する再生処理装置と、前記再生処理装置によって処理された再生データを逆再生する再生装置とを備えた再生処理システムにおける再生処理方法であって、
前記再生処理装置が、前記再生可能なデータとして音声データを取得する音声データ取得ステップと、
前記再生処理装置が、前記音声データ取得ステップにおいて取得した前記音声データにおいて、発声にかかる音声を含む発声部分を識別する発声部分識別ステップと、
前記再生処理装置が、前記発声部分識別ステップにおいて識別した発声部分の発声内容に基づいて、前記音声データを言語的に意味を持つ単位の部分音声データに分割する音声データ分割ステップと、
前記再生処理装置が、前記音声データ分割ステップにおいて得られた複数の部分音声データを、前記音声データの再生方向と逆方向に沿った順に配列し、かつ各部分音声データに含まれる複数のフレームを当該音声データの再生方向と同一の方向に配列する部分音声データ再配列ステップと、
前記再生処理装置が、前記音声逆再生ステップにおいて再配列された前記音声データを記録媒体に格納する記録媒体制御ステップと、
前記再生装置が、前記記録媒体から前記音声データを読み出す音声データ読出ステップと、
前記再生装置が、前記音声データ読出ステップにおいて読み出した前記複数の部分音声データを前記部分音声データ再配列手段による配列順に再生する音声逆再生ステップと
を有することを特徴とする再生処理方法。
【発明の詳細な説明】
【技術分野】
【０００１】
本発明は、再生可能なデータを処理する再生処理装置、再生処理システム、再生処理方法、再生処理プログラムおよびデータ構造に関するものである。
【背景技術】
【０００２】
近年、音声、あるいは映像と関連付けられた音声を取り扱う機器の主流は、従来の磁気テープから光磁気ディスクや半導体メモリなどに移り、その記録方式もアナログ方式からデジタル方式に移行するようになった。
【０００３】
このように音声の記録方式がデジタル化されることで、再生速度の制御も容易になった。例えば、記録時よりも高速な再生を行う早聞き再生により同じ内容の音声を短時間で聞いたり、逆に遅く再生するスロー再生により丁寧に聞き取ることができる。また、単なる早送りに代えて、音声付き高速再生機能が提供されることも一般的になってきた。
【０００４】
一方、巻き戻し時の音声再生については、音声データをそのまま逆転再生させると言葉が聞き取れない。そこで、これを解消させる様々な技術が提案されている。例えば、無音の挿入された箇所で区切って逆順に順方向再生させる方法も知られている（例えば、「特許文献１」参照）。
【０００５】
【特許文献１】特開平８−２６５６７６号公報
【発明の開示】
【発明が解決しようとする課題】
【０００６】
しかしながら、上述のように無音の挿入された箇所で区切って逆順に順方向再生される場合には、区間長が比較的長くなる。このように順方向再生される区間が長くなると、聞き手にとっては、再生の感じが強くなり、不自然な逆再生となってしまう。このため、より自然に音声等を逆再生することのできる技術が望まれている。
【０００７】
この発明は上記の問題を解決すべくなされたもので、逆方向に再生した場合に言葉を聞き取りやすく、また視聴者が違和感を抱くことのない逆再生が可能な再生処理装置を提供することを目的とする。
【課題を解決するための手段】
【０００８】
上述した課題を解決し、目的を達成するために、本発明は、再生可能なデータを処理する再生処理装置であって、前記再生可能なデータとして音声データを取得する音声データ取得手段と、前記音声データ取得手段が取得した前記音声データにおいて、発声にかかる音声を含む発声部分を識別する発声部分識別手段と、前記発声部分識別手段が識別した発声部分の発声内容に基づいて、前記音声データを言語的に意味を持つ単位の部分音声データに分割する音声データ分割手段と、前記音声データ分割手段によって得られた複数の部分音声データを、前記音声データの再生方向と逆方向に沿った順に配列し、かつ各部分音声データに含まれる複数のフレームを当該音声データの再生方向と同一の方向に配列する部分音声データ再配列手段と、前記音声データを前記部分音声データ再配列手段による配列順に再生する音声逆再生手段とを備えたことを特徴とする。
【０００９】
また、本発明の他の形態は、再生すべきデータを処理する再生処理装置と、前記再生処理装置によって処理された再生データを逆再生する再生装置とを備えた再生処理システムであって、前記再生処理装置は、前記再生データとして、音声データを取得する音声データ取得手段と、前記音声データ取得手段が取得した前記音声データにおいて、発声にかかる音声を含む発声部分を識別する発声部分識別手段と、前記発声部分識別手段が識別した発声部分の発声内容に基づいて、前記音声データを言語的に意味を持つ単位の部分音声データに分割する位置を特定する音声データ分割位置特定手段と、前記音声データを、前記音声データ分割位置特定手段により特定された位置を認識可能に記録媒体に格納する記録媒体制御手段とを有し、前記再生装置は、前記記録媒体から前記音声データを読み出す音声データ読出手段と、前記音声データ読出手段が読み出した前記音声データの前記分割位置において前記音声データを分割し複数の部分音声データを得る音声データ分割手段と、前記音声データ分割手段によって得られた複数の部分音声データを、前記音声データの再生方向と逆方向に沿った順に配列し、かつ各部分音声データに含まれる複数のフレームを当該音声データの再生方向と同一の方向に配列する部分音声データ再配列手段と、前記音声データを前記部分音声データ再配列手段による配列順に再生する音声逆再生手段とを有することを特徴とする。
【００１０】
また、本発明の他の形態は、再生可能なデータを処理する再生処理装置であって、前記再生可能なデータである音声データを言語的に意味を持つ単位に分割する分割位置を認識可能に記録した記録媒体から前記音声データを読み出す音声データ読出手段と、前記音声データ読出手段が読み出した前記音声データの前記分割位置において前記音声データを分割し複数の部分音声データを得る音声データ分割手段と、前記音声データ分割手段によって得られた複数の部分音声データを、前記音声データの再生方向と逆方向に沿った順に配列し、かつ各部分音声データに含まれる複数のフレームを当該音声データの再生方向と同一の方向に配列する部分音声データ再配列手段と、前記音声データを前記部分音声データ再配列手段による配列順に再生する音声逆再生手段とを備えたことを特徴とする。
【００１１】
また、本発明の他の形態は、再生可能なデータを処理する再生処理装置であって、前記再生可能なデータとして、音声データを取得する音声データ取得手段と、前記音声データ取得手段が取得した前記音声データにおいて、発声にかかる音声を含む発声部分を識別する発声部分識別手段と、前記発声部分識別手段が識別した発声部分の発声内容に基づいて、前記音声データを言語的に意味を持つ単位の部分音声データに分割する位置を特定する音声データ分割位置特定手段と、前記音声データを、前記音声データ分割位置特定手段により特定された位置を認識可能に記録媒体に格納する記録媒体制御手段とを備えたことを特徴とする。
【００１２】
また、本発明の他の形態は、再生可能なデータを記録した音声データのデータ構造であって、前記再生可能なデータである音声データを、当該音声データを言語的に意味を持つ単位に分割する分割位置を認識可能に記録したことを特徴とする。
【００１３】
また、本発明の他の形態は、再生すべきデータを処理する再生処理装置と、前記再生処理装置によって処理された再生データを逆再生する再生装置とを備えた再生処理システムであって、前記再生処理装置は、前記再生データとして、音声データを取得する音声データ取得手段と、前記音声データ取得手段が取得した前記音声データにおいて、発声にかかる音声を含む発声部分を識別する発声部分識別手段と、前記発声部分識別手段が識別した発声部分の発声内容に基づいて、前記音声データを言語的に意味を持つ単位の部分音声データに分割する音声データ分割手段と、前記音声データ分割手段によって得られた複数の部分音声データを、前記音声データの再生方向と逆方向に沿った順に配列する部分音声データ配列順と、各部分音声データに含まれる複数のフレームを当該音声データの再生方向と同一の方向に配列するフレーム配列順とを認識可能に記録媒体に格納する記録媒体制御手段とを有し、前記再生装置は、前記記録媒体に格納されている前記音声データを読み出す音声データ読出手段と、前記音声データ読出手段が読み出した前記音声データを前記部分音声データ再配列手段による配列順に再生する音声逆再生手段とを有することを特徴とする。
【００１４】
また、本発明の他の形態は、再生可能なデータを処理する再生処理装置であって、前記再生可能なデータである音声データを言語的に意味を持つ単位に分割して得られた複数の部分音声データを、当該音声データの再生方向と逆方向に沿った順に配列する部分音声データ配列順と、各部分音声データに含まれる複数のフレームを当該音声データの再生方向と同一の方向に配列するフレーム配列順とを認識可能に記録した記録媒体から前記複数の部分音声データを読み出す音声データ読出手段と、前記音声データ読出手段が読み出した前記複数の部分音声データを前記部分音声データ配列順に配列し、各部分音声データに含まれる複数のフレームを前記フレーム配列順に配列する部分音声データ再配列手段と、前記音声データを前記部分音声データ再配列手段による配列順に再生する音声逆再生手段とを備えたことを特徴とする。
【００１５】
また、本発明の他の形態は、再生可能なデータを処理する再生処理装置であって、前記再生可能なデータとして、音声データを取得する音声データ取得手段と、前記音声データ取得手段が取得した前記音声データにおいて、発声にかかる音声を含む発声部分を識別する発声部分識別手段と、前記発声部分識別手段が識別した発声部分の発声内容に基づいて、前記音声データを言語的に意味を持つ単位の部分音声データに分割する位置を特定する音声データ分割位置特定手段と、前記音声データ分割位置特定手段によって特定された位置で前記音声データを分割することにより得られる複数の部分音声データを、前記音声データの再生方向と逆方向に沿った順に配列する配列順と、各部分音声データに含まれる複数のフレームを当該音声データの再生方向と同一の方向に配列するフレーム配列順とを認識可能に記録媒体に格納する記録媒体制御手段とを備えたことを特徴とする。
【００１６】
また、本発明の他の形態は、再生可能なデータを記録した音声データのデータ構造であって、前記再生可能なデータである音声データを言語的に意味を持つ単位に分割して得られた複数の部分音声データを、当該音声データの再生方向と逆方向に沿った順に配列する部分音声データ配列順と、各部分音声データに含まれる複数のフレームを当該音声データの再生方向と同一の方向に配列するフレーム配列順とを認識可能に記録したことを特徴とする。
【００１７】
また、本発明の他の形態は、再生すべきデータを処理する再生処理装置と、前記再生処理装置によって処理された再生データを逆再生する再生装置とを備えた再生処理システムであって、前記再生処理装置は、前記再生可能なデータとして音声データを取得する音声データ取得手段と、前記音声データ取得手段が取得した前記音声データにおいて、発声にかかる音声を含む発声部分を識別する発声部分識別手段と、前記発声部分識別手段が識別した発声部分の発声内容に基づいて、前記音声データを言語的に意味を持つ単位の部分音声データに分割する音声データ分割手段と、前記音声データ分割手段によって得られた複数の部分音声データを、前記音声データの再生方向と逆方向に沿った順に配列し、かつ各部分音声データに含まれる複数のフレームを当該音声データの再生方向と同一の方向に配列する部分音声データ再配列手段と、前記音声逆再生手段に再配列された前記音声データを記録媒体に格納する記録媒体制御手段とを有し、前記再生装置は、前記記録媒体から前記音声データを読み出す音声データ読出手段と、前記音声データ読出手段が読み出した前記複数の部分音声データを前記部分音声データ再配列手段による配列順に再生する音声逆再生手段とを有することを特徴とする。
【００１８】
また、本発明の他の形態は、再生可能なデータを処理する再生処理方法であって、前記再生可能なデータとして音声データを取得する音声データ取得ステップと、前記音声データ取得ステップにおいて取得した前記音声データにおいて、発声にかかる音声を含む発声部分を識別する発声部分識別ステップと、前記発声部分識別ステップにおいて識別した発声部分の発声内容に基づいて、前記音声データを言語的に意味を持つ単位の部分音声データに分割する音声データ分割ステップと、前記音声データ分割ステップにおいて得られた複数の部分音声データを、前記音声データの再生方向と逆方向に沿った順に配列し、かつ各部分音声データに含まれる複数のフレームを当該音声データの再生方向と同一の方向に配列する部分音声データ再配列ステップと、前記音声データを前記部分音声データ再配列ステップにおいて配列された配列順に再生する音声逆再生ステップとを有することを特徴とする。
【００１９】
また、本発明の他の形態は、再生可能なデータを処理する再生処理をコンピュータに実行させる再生処理プログラムであって、前記再生可能なデータとして音声データを取得する音声データ取得ステップと、前記音声データ取得ステップにおいて取得した前記音声データにおいて、発声にかかる音声を含む発声部分を識別する発声部分識別ステップと、前記発声部分識別ステップにおいて識別した発声部分の発声内容に基づいて、前記音声データを言語的に意味を持つ単位の部分音声データに分割する音声データ分割ステップと、前記音声データ分割ステップにおいて得られた複数の部分音声データを、前記音声データの再生方向と逆方向に沿った順に配列し、かつ各部分音声データに含まれる複数のフレームを当該音声データの再生方向と同一の方向に配列する部分音声データ再配列ステップと、前記音声データを前記部分音声データ再配列ステップにおいて配列された配列順に再生する音声逆再生ステップとを有することを特徴とする。
【００２０】
また、本発明の他の形態は、再生すべきデータを処理する再生処理装置と、前記再生処理装置によって処理された再生データを逆再生する再生装置とを備えた再生処理システムにおける再生処理方法であって、前記再生処理装置が、前記再生データとして、音声データを取得する音声データ取得ステップと、前記再生処理装置が、前記音声データ取得ステップにおいて取得した前記音声データにおいて、発声にかかる音声を含む発声部分を識別する発声部分識別ステップと、前記再生処理装置が、前記発声部分識別ステップにおいて識別した発声部分の発声内容に基づいて、前記音声データを言語的に意味を持つ単位の部分音声データに分割する位置を特定する音声データ分割位置特定ステップと、前記再生処理装置が、前記音声データを、前記音声データ分割位置特定ステップにおいて特定された位置を認識可能に記録媒体に格納する記録媒体制御ステップと、前記再生装置が、前記記録媒体から前記音声データを読み出す音声データ読出ステップと、前記再生装置が、前記音声データ読出ステップにおいて読み出した前記音声データの前記分割位置において前記音声データを分割し複数の部分音声データを得る音声データ分割ステップと、前記再生装置が、前記音声データ分割ステップにおいて得られた複数の部分音声データを、前記音声データの再生方向と逆方向に沿った順に配列し、かつ各部分音声データに含まれる複数のフレームを当該音声データの再生方向と同一の方向に配列する部分音声データ再配列ステップと、前記再生装置が、前記音声データを前記部分音声データ再配列ステップおいて配列された配列順に再生する音声逆再生ステップとを有することを特徴とする。
【００２１】
また、本発明の他の形態は、再生可能なデータを処理する再生処理をコンピュータに実行させる再生処理プログラムであって、前記再生可能なデータである音声データを、当該音声データを言語的に意味を持つ単位に分割する分割位置を認識可能に記録した記録媒体から前記音声データを読み出す音声データ読出ステップと、前記音声データ読出ステップが読み出した前記音声データの前記分割位置において前記音声データを分割し複数の部分音声データを得る音声データ分割ステップと、前記音声データ分割ステップにおいて得られた複数の部分音声データを、前記音声データの再生方向と逆方向に沿った順に配列し、かつ各部分音声データに含まれる複数のフレームを当該音声データの再生方向と同一の方向に配列する部分音声データ再配列ステップと、前記音声データを前記部分音声データ再配列ステップにおいて配列された配列順に再生する音声逆再生ステップとを有することを特徴とする。
【００２２】
また、本発明の他の形態は、再生可能なデータを処理する再生処理をコンピュータに実行させる再生処理プログラムであって、前記再生可能なデータとして、音声データを取得する音声データ取得ステップと、前記音声データ取得ステップにおいて取得した前記音声データにおいて、発声にかかる音声を含む発声部分を識別する発声部分識別ステップと、前記発声部分識別ステップにおいて識別した発声部分の発声内容に基づいて、前記音声データを言語的に意味を持つ単位の部分音声データに分割する位置を特定する音声データ分割位置特定ステップと、前記音声データを、前記音声データ分割位置特定ステップにおいて特定された位置を認識可能に記録媒体に格納する記録媒体制御ステップとを有することを特徴とする。
【００２３】
また、本発明の他の形態は、再生すべきデータを処理する再生処理装置と、前記再生処理装置によって処理された再生データを逆再生する再生装置とを備えた再生処理システムにおける再生処理方法であって、前記再生処理装置が、前記再生データとして、音声データを取得する音声データ取得ステップと、前記再生処理装置が、前記音声データ取得ステップにおいて取得した前記音声データにおいて、発声にかかる音声を含む発声部分を識別する発声部分識別ステップと、前記再生処理装置が、前記発声部分識別ステップにおいて識別した発声部分の発声内容に基づいて、前記音声データを言語的に意味を持つ単位の部分音声データに分割する音声データ分割ステップと、前記再生処理装置が、前記音声データ分割ステップにおいて得られた複数の部分音声データを、前記音声データの再生方向と逆方向に沿った順に配列する部分音声データ配列順と、各部分音声データに含まれる複数のフレームを当該音声データの再生方向と同一の方向に配列するフレーム配列順とを認識可能に記録媒体に格納する記録媒体制御ステップと、前記再生装置が、前記記録媒体に格納されている前記音声データを読み出す音声データ読出ステップと、前記再生装置が、前記音声データ読出ステップにおいて読み出した前記音声データを前記部分音声データ再配列手段による配列順に再生する音声逆再生ステップとを有することを特徴とする。
【００２４】
また、本発明の他の形態は、再生可能なデータを処理する再生処理をコンピュータに実行させる再生処理プログラムであって、前記再生可能なデータである音声データを言語的に意味を持つ単位に分割して得られた複数の部分音声データを、当該音声データの再生方向と逆方向に沿った順に配列する部分音声データ配列順と、各部分音声データに含まれる複数のフレームを当該音声データの再生方向と同一の方向に配列するフレーム配列順とを認識可能に記録した記録媒体から前記複数の部分音声データを読み出す音声データ読出ステップと、前記音声データ読出ステップにおいて読み出した前記複数の部分音声データを前記部分音声データ配列順に配列し、各部分音声データに含まれる複数のフレームを前記フレーム配列順に配列する部分音声データ再配列ステップと、前記音声データを前記部分音声データ再配列ステップにおいて配列された配列順に再生する音声逆再生ステップとを有することを特徴とする。
【００２５】
また、本発明の他の形態は、再生可能なデータを処理する再生処理をコンピュータに実行させる再生処理プログラムであって、前記再生可能なデータとして、音声データを取得する音声データ取得ステップと、前記音声データ取得ステップにおいて取得した前記音声データにおいて、発声にかかる音声を含む発声部分を識別する発声部分識別ステップと、前記発声部分識別ステップにおいて識別した発声部分の発声内容に基づいて、前記音声データを言語的に意味を持つ単位の部分音声データに分割する位置を特定する音声データ分割位置特定ステップと、前記音声データ分割位置特定ステップにおいて特定された位置で前記音声データを分割することにより得られる複数の部分音声データを、前記音声データの再生方向と逆方向に沿った順に配列する配列順と、各部分音声データに含まれる複数のフレームを当該音声データの再生方向と同一の方向に配列するフレーム配列順とを認識可能に記録媒体に格納する記録媒体制御ステップとを有することを特徴とする。
【００２６】
また、本発明の他の形態は、再生すべきデータを処理する再生処理装置と、前記再生処理装置によって処理された再生データを逆再生する再生装置とを備えた再生処理システムにおける再生処理方法であって、前記再生処理装置が、前記再生可能なデータとして音声データを取得する音声データ取得ステップと、前記再生処理装置が、前記音声データ取得ステップにおいて取得した前記音声データにおいて、発声にかかる音声を含む発声部分を識別する発声部分識別ステップと、前記再生処理装置が、前記発声部分識別ステップにおいて識別した発声部分の発声内容に基づいて、前記音声データを言語的に意味を持つ単位の部分音声データに分割する音声データ分割ステップと、前記再生処理装置が、前記音声データ分割ステップにおいて得られた複数の部分音声データを、前記音声データの再生方向と逆方向に沿った順に配列し、かつ各部分音声データに含まれる複数のフレームを当該音声データの再生方向と同一の方向に配列する部分音声データ再配列ステップと、前記再生処理装置が、前記音声逆再生ステップにおいて再配列された前記音声データを記録媒体に格納する記録媒体制御ステップと、前記再生装置が、前記記録媒体から前記音声データを読み出す音声データ読出ステップと、前記再生装置が、前記音声データ読出ステップにおいて読み出した前記複数の部分音声データを前記部分音声データ再配列手段による配列順に再生する音声逆再生ステップとを有することを特徴とする。
【発明の効果】
【００２７】
本発明にかかる再生処理装置においては、音声データ取得手段が、再生可能なデータとして音声データを取得し、発声部分識別手段が、音声データ取得手段が取得した音声データにおいて、発声にかかる音声を含む発声部分を識別し、音声データ分割手段が、発声部分識別手段が識別した発声部分の発声内容に基づいて、音声データを言語的に意味を持つ単位の部分音声データに分割し、部分音声データ再配列手段が、音声データ分割手段によって得られた複数の部分音声データを、音声データの再生方向と逆方向に沿った順に配列し、かつ各部分音声データに含まれる複数のフレームを当該音声データの再生方向と同一の方向に配列し、音声逆再生手段が、音声データを部分音声データ再配列手段による配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【００２８】
また、本発明の他の形態にかかる再生処理システムによれば、再生処理装置において、音声データ取得手段が、再生データとして、音声データを取得し、発声部分識別手段が、音声データ取得手段が取得した音声データにおいて、発声にかかる音声を含む発声部分を識別し、音声データ分割位置特定手段が、発声部分識別手段が識別した発声部分の発声内容に基づいて、音声データを言語的に意味を持つ単位の部分音声データに分割する位置を特定し、記録媒体制御手段が、音声データを、音声データ分割位置特定手段により特定された位置を認識可能に記録媒体に格納し、再生装置において、音声データ読出手段が、記録媒体から音声データを読み出し、音声データ分割手段が、音声データ読出手段が読み出した音声データの分割位置において音声データを分割し複数の部分音声データを得て、部分音声データ再配列手段が、音声データ分割手段によって得られた複数の部分音声データを、音声データの再生方向と逆方向に沿った順に配列し、かつ各部分音声データに含まれる複数のフレームを当該音声データの再生方向と同一の方向に配列し、音声逆再生手段が、音声データを部分音声データ再配列手段による配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【００２９】
また、本発明の他の形態にかかる再生処理装置においては、音声データ読出手段が、再生可能なデータである音声データを言語的に意味を持つ単位に分割する分割位置を認識可能に記録した記録媒体から音声データを読み出し、音声データ分割手段が、音声データ読出手段が読み出した音声データの分割位置において音声データを分割し複数の部分音声データを得て、部分音声データ再配列手段が、音声データ分割手段によって得られた複数の部分音声データを、音声データの再生方向と逆方向に沿った順に配列し、かつ各部分音声データに含まれる複数のフレームを当該音声データの再生方向と同一の方向に配列し、音声逆再生手段が、音声データを部分音声データ再配列手段による配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【００３０】
また、本発明の他の形態にかかる再生処理装置においては、音声データ取得手段が、再生可能なデータとして、音声データを取得し、発声部分識別手段が、音声データ取得手段が取得した音声データにおいて、発声にかかる音声を含む発声部分を識別し、音声データ分割位置特定手段が、発声部分識別手段が識別した発声部分の発声内容に基づいて、音声データを言語的に意味を持つ単位の部分音声データに分割する位置を特定し、記録媒体制御手段が、音声データを、音声データ分割位置特定手段により特定された位置を認識可能に記録媒体に格納するので、逆再生時には、部分音声データ単位で再配列することにより、逆再生であっても、音声を意味を持つ単位で聞き取ることができるという効果を奏する。すなわち、視聴者が違和感を抱くことのない自然な逆再生が可能となるという効果を奏する。
【００３１】
また、本発明の他の形態にかかる音声データのデータ構造においては、再生可能なデータである音声データを、当該音声データを言語的に意味を持つ単位に分割する分割位置を認識可能に記録するので、逆再生時には、部分音声データ単位で再配列することにより、逆再生であっても、音声を意味を持つ単位で聞き取ることができるという効果を奏する。すなわち、視聴者が違和感を抱くことのない自然な逆再生が可能となるという効果を奏する。
【００３２】
また、本発明の他の形態にかかる再生処理システムにおいては、再生処理装置において、音声データ取得手段が、再生データとして、音声データを取得し、発声部分識別手段が、音声データ取得手段が取得した音声データにおいて、発声にかかる音声を含む発声部分を識別し、音声データ分割手段が、発声部分識別手段が識別した発声部分の発声内容に基づいて、音声データを言語的に意味を持つ単位の部分音声データに分割し、記録媒体制御手段が、音声データ分割手段によって得られた複数の部分音声データを、音声データの再生方向と逆方向に沿った順に配列する部分音声データ配列順と、各部分音声データに含まれる複数のフレームを当該音声データの再生方向と同一の方向に配列するフレーム配列順とを認識可能に記録媒体に格納し、再生装置において、音声データ読出手段が、記録媒体に格納されている音声データを読み出し、音声逆再生手段が、音声データ読出手段が読み出した音声データを部分音声データ再配列手段による配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【００３３】
また、本発明の他の形態にかかる再生処理装置においては、音声データ読出手段が、再生可能なデータである音声データを言語的に意味を持つ単位に分割して得られた複数の部分音声データを、当該音声データの再生方向と逆方向に沿った順に配列する部分音声データ配列順と、各部分音声データに含まれる複数のフレームを当該音声データの再生方向と同一の方向に配列するフレーム配列順とを認識可能に記録した記録媒体から複数の部分音声データを読み出し、部分音声データ再配列手段が、音声データ読出手段が読み出した複数の部分音声データを部分音声データ配列順に配列し、各部分音声データに含まれる複数のフレームをフレーム配列順に配列し、音声逆再生手段が、音声データを部分音声データ再配列手段による配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【００３４】
また、本発明の他の形態にかかる再生処理装置においては、音声データ取得手段が、再生可能なデータとして、音声データを取得し、発声部分識別手段が、音声データ取得手段が取得した音声データにおいて、発声にかかる音声を含む発声部分を識別し、音声データ分割位置特定手段が、発声部分識別手段が識別した発声部分の発声内容に基づいて、音声データを言語的に意味を持つ単位の部分音声データに分割する位置を特定し、記録媒体制御手段が、音声データ分割位置特定手段によって特定された位置で音声データを分割することにより得られる複数の部分音声データを、音声データの再生方向と逆方向に沿った順に配列する配列順と、各部分音声データに含まれる複数のフレームを当該音声データの再生方向と同一の方向に配列するフレーム配列順とを認識可能に記録媒体に格納するので、逆再生時には、部分音声データ単位で再配列することにより、逆再生であっても、視聴者は、音声を意味を持つ単位で聞き取ることができるという効果を奏する。すなわち、視聴者が違和感を抱くことのない自然な逆再生が可能となるという効果を奏する。
【００３５】
また、本発明の他の形態にかかるデータ構造においては、再生可能なデータである音声データを言語的に意味を持つ単位に分割して得られた複数の部分音声データを、当該音声データの再生方向と逆方向に沿った順に配列する部分音声データ配列順と、各部分音声データに含まれる複数のフレームを当該音声データの再生方向と同一の方向に配列するフレーム配列順とを認識可能に記録するので、逆再生時には、部分音声データ単位で再配列することにより、逆再生であっても、視聴者は、音声を意味を持つ単位で聞き取ることができるという効果を奏する。すなわち、視聴者が違和感を抱くことのない自然な逆再生が可能となるという効果を奏する。
【００３６】
また、本発明の他の形態にかかる再生処理システムにおいては、再生処理装置において、音声データ取得手段が、再生可能なデータとして音声データを取得し、発声部分識別手段が、音声データ取得手段が取得した音声データにおいて、発声にかかる音声を含む発声部分を識別し、音声データ分割手段が、発声部分識別手段が識別した発声部分の発声内容に基づいて、音声データを言語的に意味を持つ単位の部分音声データに分割し、部分音声データ再配列手段が、音声データ分割手段によって得られた複数の部分音声データを、音声データの再生方向と逆方向に沿った順に配列し、かつ各部分音声データに含まれる複数のフレームを当該音声データの再生方向と同一の方向に配列し、記録媒体制御手段が、音声逆再生手段に再配列された音声データを記録媒体に格納し、再生装置において、音声データ読出手段が、記録媒体から音声データを読み出し、音声逆再生手段が、音声データ読出手段が読み出した複数の部分音声データを部分音声データ再配列手段による配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【００３７】
また、本発明の他の形態にかかる再生処理方法においては、音声データ取得ステップにおいて、再生可能なデータとして音声データを取得し、発声部分識別ステップにおいて、音声データ取得ステップにおいて取得した音声データにおいて、発声にかかる音声を含む発声部分を識別し、音声データ分割ステップにおいて、発声部分識別ステップにおいて識別した発声部分の発声内容に基づいて、音声データを言語的に意味を持つ単位の部分音声データに分割し、部分音声データ再配列ステップにおいて、音声データ分割ステップにおいて得られた複数の部分音声データを、音声データの再生方向と逆方向に沿った順に配列し、かつ各部分音声データに含まれる複数のフレームを当該音声データの再生方向と同一の方向に配列し、音声逆再生ステップにおいて、音声データを部分音声データ再配列ステップにおいて配列された配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【００３８】
また、本発明の他の形態にかかる再生処理プログラムにおいては、音声データ取得ステップにおいて、再生可能なデータとして音声データを取得し、発声部分識別ステップにおいて、音声データ取得ステップにおいて取得した音声データにおいて、発声にかかる音声を含む発声部分を識別し、音声データ分割ステップにおいて、発声部分識別ステップにおいて識別した発声部分の発声内容に基づいて、音声データを言語的に意味を持つ単位の部分音声データに分割し、部分音声データ再配列ステップにおいて、音声データ分割ステップにおいて得られた複数の部分音声データを、音声データの再生方向と逆方向に沿った順に配列し、かつ各部分音声データに含まれる複数のフレームを当該音声データの再生方向と同一の方向に配列し、音声逆再生ステップにおいて、音声データを部分音声データ再配列ステップにおいて配列された配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【００３９】
また、本発明の他の形態にかかる再生処理方法においては、音声データ取得ステップにおいて、再生処理装置が、再生データとして、音声データを取得し、発声部分識別ステップにおいて、再生処理装置が、音声データ取得ステップにおいて取得した音声データにおいて、発声にかかる音声を含む発声部分を識別し、音声データ分割位置特定ステップにおいて、再生処理装置が、発声部分識別ステップにおいて識別した発声部分の発声内容に基づいて、音声データを言語的に意味を持つ単位の部分音声データに分割する位置を特定し、記録媒体制御ステップにおいて、再生処理装置が、音声データを、音声データ分割位置特定ステップにおいて特定された位置を認識可能に記録媒体に格納し、音声データ読出ステップにおいて、再生装置が、記録媒体から音声データを読み出し、音声データ分割ステップにおいて、再生装置が、音声データ読出ステップにおいて読み出した音声データの分割位置において音声データを分割し複数の部分音声データを得て、部分音声データ再配列ステップにおいて、再生装置が、音声データ分割ステップにおいて得られた複数の部分音声データを、音声データの再生方向と逆方向に沿った順に配列し、かつ各部分音声データに含まれる複数のフレームを当該音声データの再生方向と同一の方向に配列し、音声逆再生ステップにおいて、再生装置が、音声データを部分音声データ再配列ステップおいて配列された配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【００４０】
また、本発明の他の形態にかかる再生処理プログラムにおいては、音声データ読出ステップにおいて、再生可能なデータである音声データを、当該音声データを言語的に意味を持つ単位に分割する分割位置を認識可能に記録した記録媒体から音声データを読み出し、音声データ分割ステップにおいて、音声データ読出ステップが読み出した音声データの分割位置において音声データを分割し複数の部分音声データを得て、部分音声データ再配列ステップにおいて、音声データ分割ステップにおいて得られた複数の部分音声データを、音声データの再生方向と逆方向に沿った順に配列し、かつ各部分音声データに含まれる複数のフレームを当該音声データの再生方向と同一の方向に配列し、音声逆再生ステップにおいて、音声データを部分音声データ再配列ステップにおいて配列された配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【００４１】
また、本発明の他の形態にかかる再生処理プログラムにおいては、音声データ取得ステップにおいて、再生可能なデータとして、音声データを取得し、発声部分識別ステップにおいて、音声データ取得ステップにおいて取得した音声データにおいて、発声にかかる音声を含む発声部分を識別し、音声データ分割位置特定ステップにおいて、発声部分識別ステップにおいて識別した発声部分の発声内容に基づいて、音声データを言語的に意味を持つ単位の部分音声データに分割する位置を特定し、記録媒体制御ステップにおいて、音声データを、音声データ分割位置特定ステップにおいて特定された位置を認識可能に記録媒体に格納するので、逆再生時には、部分音声データ単位で再配列することにより、逆再生であっても、視聴者は、音声を意味を持つ単位で聞き取ることができるという効果を奏する。すなわち、視聴者が違和感を抱くことのない自然な逆再生が可能となるという効果を奏する。
【００４２】
また、本発明の他の形態にかかる再生処理方法においては、音声データ取得ステップにおいて、再生処理装置が、再生データとして、音声データを取得し、発声部分識別ステップと、再生処理装置が、音声データ取得ステップにおいて取得した音声データにおいて、発声にかかる音声を含む発声部分を識別し、音声データ分割ステップにおいて、再生処理装置が、発声部分識別ステップにおいて識別した発声部分の発声内容に基づいて、音声データを言語的に意味を持つ単位の部分音声データに分割し、記録媒体制御ステップにおいて、再生処理装置が、音声データ分割ステップにおいて得られた複数の部分音声データを、音声データの再生方向と逆方向に沿った順に配列する部分音声データ配列順と、各部分音声データに含まれる複数のフレームを当該音声データの再生方向と同一の方向に配列するフレーム配列順とを認識可能に記録媒体に格納し、音声データ読出ステップにおいて、再生装置が、記録媒体に格納されている音声データを読み出し、音声逆再生ステップにおいて、再生装置が、音声データ読出ステップにおいて読み出した音声データを部分音声データ再配列手段による配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【００４３】
また、本発明の他の形態にかかる再生処理プログラムにおいては、音声データ読出ステップにおいて、再生可能なデータである音声データを言語的に意味を持つ単位に分割して得られた複数の部分音声データを、当該音声データの再生方向と逆方向に沿った順に配列する部分音声データ配列順と、各部分音声データに含まれる複数のフレームを当該音声データの再生方向と同一の方向に配列するフレーム配列順とを認識可能に記録した記録媒体から複数の部分音声データを読み出し、部分音声データ再配列ステップにおいて、音声データ読出ステップにおいて読み出した複数の部分音声データを部分音声データ配列順に配列し、各部分音声データに含まれる複数のフレームをフレーム配列順に配列し、音声逆再生ステップにおいて、音声データを部分音声データ再配列ステップにおいて配列された配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【００４４】
また、本発明の他の形態にかかる再生処理プログラムにおいては、音声データ取得ステップにおいて、再生可能なデータとして、音声データを取得し、発声部分識別ステップにおいて、音声データ取得ステップにおいて取得した音声データにおいて、発声にかかる音声を含む発声部分を識別し、音声データ分割位置特定ステップにおいて、発声部分識別ステップにおいて識別した発声部分の発声内容に基づいて、音声データを言語的に意味を持つ単位の部分音声データに分割する位置を特定し、記録媒体制御ステップにおいて、音声データ分割位置特定ステップにおいて特定された位置で音声データを分割することにより得られる複数の部分音声データを、音声データの再生方向と逆方向に沿った順に配列する配列順と、各部分音声データに含まれる複数のフレームを当該音声データの再生方向と同一の方向に配列するフレーム配列順とを認識可能に記録媒体に格納するので、逆再生であっても、視聴者は、音声を意味を持つ単位で聞き取ることができるという効果を奏する。すなわち、視聴者が違和感を抱くことのない自然な逆再生が可能となるという効果を奏する。
【００４５】
また、本発明の他の形態にかかる再生処理方法においては、音声データ取得ステップにおいて、再生処理装置が、再生可能なデータとして音声データを取得し、発声部分識別ステップにおいて、再生処理装置が、音声データ取得ステップにおいて取得した音声データにおいて、発声にかかる音声を含む発声部分を識別し、音声データ分割ステップにおいて、再生処理装置が、発声部分識別ステップにおいて識別した発声部分の発声内容に基づいて、音声データを言語的に意味を持つ単位の部分音声データに分割し、部分音声データ再配列ステップにおいて、再生処理装置が、音声データ分割ステップにおいて得られた複数の部分音声データを、音声データの再生方向と逆方向に沿った順に配列し、かつ各部分音声データに含まれる複数のフレームを当該音声データの再生方向と同一の方向に配列し、記録媒体制御ステップにおいて、再生処理装置が、音声逆再生ステップにおいて再配列された音声データを記録媒体に格納し、音声データ読出ステップにおいて、再生装置が、記録媒体から音声データを読み出し、音声逆再生ステップにおいて、再生装置が、音声データ読出ステップにおいて読み出した複数の部分音声データを部分音声データ再配列手段による配列順に再生するので、逆再生であっても、視聴者は、音声を意味を持つ単位で聞き取ることができるという効果を奏する。すなわち、視聴者が違和感を抱くことのない自然な逆再生が可能となるという効果を奏する。
【発明を実施するための最良の形態】
【００４６】
以下に、本発明にかかる再生可能なデータを処理する再生処理装置、再生処理システム、再生処理方法、再生処理プログラムおよびデータ構造の実施の形態を図面に基づいて詳細に説明する。なお、この実施の形態によりこの発明が限定されるものではない。
【００４７】
（実施の形態１）
図１は、実施の形態１にかかる再生処理装置１に特徴的な再生処理を行う再生処理部１０の機能構成を示すブロック図である。
【００４８】
再生処理部１０は、音声データ取得部１００と、発声部分識別部１０２と、テキストデータ生成部１０４と、分割情報生成部１０６と、部分音声データ再配列部１０８と、音声データ再生部１１０とを備えている。
【００４９】
音声データ取得部１００は、外部のマイクロホン、放送受信チューナー、その他の機器から入力される音声信号をデジタル音声データに変換して取得する。音声データ取得部１００は、外部のデジタルマイクロホン、デジタル放送等の受信チューナー、記録媒体、その他のデジタル機器から入力されるデジタル音声データを取得してもよい。音声データ取得部１００は、取得した音声データを記録媒体９０に記録する。
【００５０】
発声部分識別部２２は、音声データ取得部１００が取得した音声データにおいて発声部分を識別する。すなわち、連続的に入力された音声データから発声部分を識別する。そして、発声部分の時間区間に含まれる音声データを切り出す。
【００５１】
ここで、発声部分とは、発声にかかる音声を含む部分である。具体的には、人が発した声などを含む部分である。また、人が発した声と雑音とが重畳した部分のように、人が発した声とそれ以外の音とが重畳した部分も発生部分に含まれる。一方、雑音のみを含む部分や音楽のみを含む部分などは含まれない。また、無音部分も含まれない。
【００５２】
具体的には、発声部分識別部２２は、音声のパワーに基づいて発声部分を識別する。また他の例としては、例えば音楽と雑音のように音声と非音声とを識別して発声部分を識別する必要がある場合には、音声の調波構造を表す特徴量に基づいて発声部分を識別してもよい。調波構造を示す特徴量としては、音声波形の自己相関などがある。そして、発声部分を識別する発声部分識別情報をテキストデータ生成部１０４へ出力する。
【００５３】
テキストデータ生成部１０４は、発声部分識別部２２から音声データおよび当該音声データに対する発声部分識別情報を取得する。そして、音声データのうち発声部分識別情報により識別される発声部分に対して音声認識を行う。そして、認識結果に基づいて、音声データをテキストデータに変換する。
【００５４】
分割情報生成部１０６は、テキストデータ生成部１０４で得られたテキストデータを、言語的に意味を持つ単位に分割する。そして音声データと分割位置を示す分割位置情報とを対応付けた分割情報を記録媒体９０に記録する。
【００５５】
ここで、言語的に意味を持つ単位とは、１文節である。なお、他の例としては、「形態素」、「単語」、「文節」、「連文節」、「文」または「段落」など、視聴者が内容を理解することのできる単位であってもよい。
【００５６】
図２は、分割情報生成部１０６の処理を説明するための図である。「逆方向に再生してもわかる」という音声データ３００を例に説明する。この音声データ３００は、「逆方向に」、「再生しても」、「わかる」の３つの文節を含む。そこで、分割情報生成部１０６は、文節の境界位置を分割位置と決定する。
【００５７】
具体的には、「逆方向に」と「再生しても」の間を第１分割位置３１１、「再生しても」と「わかる」の間を第２分割位置３１２と決定する。そして、第１分割位置３１１、第２分割位置３１２によって音声データ３００を分割することにより、複数の部分音声データを得る。具体的には、第１部分音声データ３２１、第２部分音声データ３２２および第３部分音声データ３２３を得る。なお、音声データは、複数のフレームＡ１，Ａ２，Ａ３，・・・Ａ１５を含んでいる。音声データ３００を再生する場合にはＡ１，Ａ２，Ａ３，・・・Ａ１５の順に再生される。分割情報生成部１０６は、フレーム単位で、分割位置を決定する。
【００５８】
図３は、記録媒体９０のデータ構成を模式的に示している。分割情報４００は、音声データ３００と分割位置情報３４０とを有している。このように、記録媒体９０は、音声データと、分割位置情報とを対応付けて格納している。
【００５９】
図２に示す音声データ３００に対する分割位置情報３４０は、第１分割位置３１１および第２分割位置３１２を識別する情報である。具体的には、各部分音声データの先頭を識別する識別情報である。図２の例においては、音声データ３００に対する分割位置情報３４０として、フレーム番号を示す「１」、「７」および「１３」が格納される。
【００６０】
具体的には、音声データ３００のＡ６に分割位置情報「１」が対応付けられている。また、Ａ１２に分割位置情報「７」が対応付けられている。また、Ａ１５に分割位置情報「１３」が対応付けられている。
【００６１】
なお、分割位置情報は、分割位置を特定可能な情報であればよく、具体的な内容は本実施の形態に限定されるものではない。
【００６２】
部分音声データ再配列部１０８は、記録媒体９０に格納されている分割情報４００を読み出す。そして、分割位置情報３４０に基づいて、音声データ３００を複数の部分音声データに分割する。具体的には、第１部分音声データ３２１、第２部分音声データ３２２および第３部分音声データ３２３に分割する。そして、３つの部分音声データ３２１〜３２３を再配列する。具体的には、逆再生すべく第３部分音声データ３２３、第２部分音声データ３２２および第１部分音声データ３２１の順に配列する。本実施の形態にかかる部分音声データ再配列部１０８は、特許請求の範囲に記載の音声データ分割手段および部分音声データ再配列手段に対応する。
【００６３】
音声データ再生部１１０は、部分音声データ再配列部１０８によって再配列された３つの部分音声データを部分音声データ再配列部１０８による配列順にしたがって再生する。なお、音声データ再生部１１０は、各部分音声データは、音声データの再生方向と同一の方向に再生する。音声データ再生部１１０によって再生された音声がスピーカ等の音声出力部４０から出力される。なお、本実施の形態にかかる音声データ再生部１１０は、特許請求の範囲に記載の音声逆再生手段に対応する。
【００６４】
図４は、部分音声データ再配列部１０８および音声データ再生部１１０の処理を説明するための図である。部分音声データ再配列部１０８の処理により、図４に示すように、３つの部分音声データ３２１〜３２３は、第３部分音声データ３２３、第２部分音声データ３２２および第１部分音声データ３２１の順に再配列される。音声データ再生部１１０は、部分音声データ再配列部１０８によって再配列された３つの部分音声データを第３部分音声データ３２３、第２部分音声データ３２２および第１部分音声データ３２１の順に再生する。
【００６５】
具体的には、まず第３部分音声データ３２３を再生する。このとき、第３部分音声データ３２３を構成するフレームは、音声データ３００の再生方向と順方向に順に再生する。すなわち、Ａ１３、Ａ１４、およびＡ１５の順に再生する。次に、第２部分音声データ３２２を再生する。このとき、第２部分音声データ３２２を構成する複数のフレームをＡ７、Ａ８、・・・Ａ１２の順に再生する。次に、第１部分音声データ３２１を同様にフレームＡ１〜Ａ６の順に再生する。
【００６６】
すなわち、音声データ再生部１１０は、Ａ１３，Ａ１４，Ａ１５，Ａ７，Ａ８，Ａ９，Ａ１０，Ａ１１，Ａ１２，Ａ１，Ａ２，Ａ３，Ａ４，Ａ５，Ａ６の順に再配列された再合成音声データ３３０を再生する。
【００６７】
このように、各部分音声データを再生方向と逆順に並べ替えることにより音声データの逆再生を行うことができる。さらに、各部分音声データは、音声データの再生方向と同一の方向に再生されるので、逆再生であっても、視聴者は、各文節の音声を意味を持つ単位で聞き取ることができる。また、このように言葉として意味を持つ単位で分割するので、再生方向と同一の方向に再生される区間が長くなりすぎることがなく、視聴者が違和感を抱くことのない自然な逆再生が可能となる。
【００６８】
図５は、実施の形態１にかかる再生処理部１０のハードウェア構成を示す図である。再生処理部１０は、ハードウェア構成として、再生処理部１０における再生処理を実行する再生処理プログラムなどが格納されているＲＯＭ５２と、ＲＯＭ５２内のプログラムに従って再生処理部１０の各部を制御するＣＰＵ５１と、再生処理部１０の制御に必要な種々のデータを記憶するＲＡＭ５３と、ネットワークに接続して通信を行う通信I／Ｆ５７と、各部を接続するバス６２とを備えている。
【００６９】
先に述べた再生処理部１０における再生処理プログラムは、インストール可能な形式又は実行可能な形式のファイルでＣＤ−ＲＯＭ、フロッピー（Ｒ）ディスク（ＦＤ）、ＤＶＤ等のコンピュータで読み取り可能な記録媒体に記録されて提供されてもよい。
【００７０】
この場合には、再生処理プログラムは、再生処理部１０において上記記録媒体から読み出して実行することにより主記憶装置上にロードされ、上記ソフトウェア構成で説明した各部が主記憶装置上に生成されるようになっている。
【００７１】
また、本実施の形態の再生処理プログラムを、インターネット等のネットワークに接続されたコンピュータ上に格納し、ネットワーク経由でダウンロードさせることにより提供するように構成しても良い。
【００７２】
以上、本発明を実施の形態を用いて説明したが、上記実施の形態に多様な変更または改良を加えることができる。
【００７３】
（実施の形態２）
図６は、実施の形態２にかかる再生処理システム２の全体構成を示す図である。再生処理システム２は、再生処理装置３と再生装置４とを備えている。また、実施の形態２においては、再生処理装置３および再生装置４は、いずれも記録媒体９０を着脱可能であり、記録媒体９０を介してデータの授受を行う。
【００７４】
再生処理装置３は、音声データ取得部１００と、発声部分識別部１０２と、テキストデータ生成部１０４と、分割情報生成部１０６と、記録媒体制御部１２０とを有している。記録媒体制御部１２０は、再生処理装置３に装着された記録媒体９０に音声データ３００と分割位置情報３４０とを含む分割情報４００を格納する。
【００７５】
再生装置４は、再生装置４に特徴的な処理を行う再生部１２と、音声出力部４０とを有している。再生部１２は、読出部１２２と、部分音声データ再配列部１０８と、音声データ再生部１１０とを有している。読出部１２２は、再生装置４に装着された記録媒体９０から分割情報４００を取得する。部分音声データ再配列部１０８は、読出部１２２から分割情報４００を取得する。そして、分割情報４００に含まれる分割位置情報３４０に基づいて、音声データ３００を再配列する。
【００７６】
なお、再生処理装置３および再生装置４のこれ以外の各部の機能は、実施の形態１にかかる同一番号を付した各部の機能と同様である。また、これ以外の構成および機能は、実施の形態１にかかる再生処理装置１の構成および機能と同様である。
【００７７】
テキストデータ生成部１０４の処理には、大語彙の連続音声認識技術が必要で、高速のＣＰＵや大容量のメモリを要するなど、処理コストが高い。従って、この部分を切り離し、分割情報を記録させることにより、すなわち、逆再生を行うためのデータ処理を行う装置と、実際に逆再生を行う装置とを別個に設けることにより、再生専用装置で逆再生を行うことができる。
【００７８】
（実施の形態３）
図７は、実施の形態３にかかる再生処理装置１における再生処理部１０の機能構成を示すブロック図である。実施の形態３にかかる再生処理装置１においては、記録媒体９０は、部分音声データ再配列部１０８によって再配列された再合成音声データ３３０を格納している。この点で、実施の形態３にかかる再生処理装置１は、他の実施の形態と異なっている。
【００７９】
記録媒体９０は、再合成音声データ３３０の形式に再配列された状態で音声データ３００を格納している。したがって、この場合、分割位置情報は格納しなくてもよい。音声データ再生部１１０は、記録媒体９０に格納されている再合成音声データ３３０を読み出す。
【００８０】
このように、実施の形態３にかかる再生処理装置１は、逆再生用の音声データを予め格納しておく。したがって、逆再生時には、配列順にしたがってシーケンシャルな読み出し再生を行えばよい。このため逆再生時の処理負担を軽減することができる。
【００８１】
なお、実施の形態３にかかる再生処理装置１のこれ以外の構成および処理は、実施の形態１にかかる再生処理装置１の構成および処理と同様である。
【００８２】
（実施の形態４）
図８は、実施の形態４にかかる再生処理システム２の全体構成を示す図である。再生処理システム２は、再生処理装置３と再生装置４とを備えている。また、実施の形態４においては、実施の形態２にかかる再生処理システム２と同様、再生処理装置３および再生装置４は、いずれも記録媒体９０を着脱可能であり、記録媒体９０を介してデータの授受を行う。
【００８３】
再生処理装置３は、音声データ取得部１００と、発声部分識別部１０２と、テキストデータ生成部１０４と、分割情報生成部１０６と、部分音声データ再配列部１０８と、記録媒体制御部１２０とを有している。
【００８４】
再生装置４は、再生部１２と、音声出力部４０とを有している。再生部１２は、読出部１２２と、音声データ再生部１１０とを有している。読出部１２２は、再生装置４に装着された記録媒体９０から再合成音声データ３３０を取得する。音声データ再生部１１０は、読出部１２２が取得した再合成音声データ３３０を再生する。
【００８５】
なお、再生処理装置３および再生装置４のこれ以外の各部の機能は、実施の形態３にかかる同一の番号を付した各部の機能と同様である。また、これ以外の構成および機能は、実施の形態３にかかる再生処理装置１の構成および機能と同様である。
【００８６】
実施の形態４にかかる再生処理システム２においては、このように、再生装置４は、再合成音声データ３３０として音声データを取得する。したがって、再生装置４は、シーケンシャルな読み出し再生を行うことにより、同期した音声データを逆再生することができる。
【００８７】
また、実施の形態４にかかる再生処理システム２においては、実施の形態２にかかる再生処理システム２と同様に、逆再生を行うためのデータ処理を行う装置と、実際に逆再生を行う装置とを別個に設けることにより、安価な再生専用装置で逆再生を行うことができる。
【００８８】
（実施の形態５）
図９は、実施の形態５にかかる再生処理装置１における再生処理部１０の機能構成を示すブロック図である。実施の形態５にかかる再生処理部１０は、音声データ取得部１００と、発声部分識別部１０２と、テキストデータ生成部１０４と、分割情報生成部１０６と、部分音声データ再配列部１０８と、音声データ再生部１１０に加えて、さらに映像データ取得部１３０と、部分映像データ再配列部１３２と映像データ再生部１３４とを有している。
【００８９】
映像データ取得部１３０は、外部のビデオカメラ、放送受信チューナー、その他の機器から入力される映像信号をデジタル映像データに変換して取得する。映像データ取得部１３０は、外部のデジタルビデオカメラ、デジタル放送等の受信チューナー、記録媒体、その他のデジタル機器から入力されるデジタル映像データを取得してもよい。映像データ取得部１３０は、取得した映像データを記録媒体９０に格納する。なお、映像データ取得部１３０が取得する映像データは、音声データ取得部１００が取得する音声データに同期している。
【００９０】
図１０は、実施の形態５にかかる記録媒体９０のデータ構成を模式的に示している。記録媒体９０は、分割情報４００を格納している。分割情報４００は、音声データ３００と、映像データ５００と、分割位置情報３４０とを含んでいる。このように、記録媒体９０は、同期した音声データ３００と映像データ５００を分割位置情報３４０とを対応付けて格納している。ここで、映像データ５００は、「逆方向に再生してもわかる」という音声データ３００に同期して再生される映像データである。
【００９１】
部分映像データ再配列部１３２は、記録媒体９０に格納されている分割情報４００を読み出す。そして、分割位置情報３４０に基づいて、映像データ５００を複数の部分映像データに分割する。そして、複数の部分映像データを再配列する。
【００９２】
図１１は、実施の形態５にかかる部分映像データ再配列部１３２の処理を説明するための図である。部分音声データ再配列部１０８は、実施の形態１にかかる部分音声データ再配列部１０８と同様に記録媒体９０に格納されている分割情報４００に基づいて、音声データ３００に含まれる部分音声データを再配列する。音声データ再生部１１０は、実施の形態１にかかる音声データ再生部１１０と同様に、部分音声データ再配列部１０８によって再配列された再合成音声データ３３０を再生する。
【００９３】
部分映像データ再配列部１３２は、部分音声データ再配列部１０８が音声データ３００を再配列するのと同様に映像データ５００を再配列する。具体的には、記録媒体９０に格納されている分割情報４００を取得する。そして、分割情報４００に含まれている分割位置情報３４０に基づいて、映像データ５００を分割位置５１１，５１２を境界とする部分映像データ５２１，５２２，５２３に分割する。そして、３つの部分映像データ５２１，５２２，５２３を映像データ５００の再生方向と逆方向に再配列する。すなわち、第３部分映像データ５２３、第２部分映像データ５２２および第１部分映像データ５２１の順に配列する。
【００９４】
なお、映像データ５００のフレームＶ１からＶ１５は、音声データ３００のＡ１からＡ１５に対応する。
【００９５】
映像データ再生部１３４は、部分映像データ再配列部１３２によって再配列された３つの部分映像データを部分映像データ再配列部１３２による配列順にしたがって再生する。なお、映像データ再生部１３４は、各部分映像データを映像データの再生方向と同一の方向に再生する。また、映像データ再生部１３４は、音声データ再生部１１０による音声データの再生に同期させて映像データを再生する。これにより、映像出力部４２は、逆再生の映像データを再生する。
【００９６】
図１２は、音声データ再生部１１０が再生する再合成音声データ３３０と映像データ再生部１３４が再生する再合成映像データ５３０とを示している。音声データ再生部１１０および映像データ再生部１３４は、図１２に示すように、音声データ３００と映像データ５００の同一タイミングで再生されるフレーム同士を同期させて、再配列順に再生する。
【００９７】
すなわち、再合成音声データ３３０は、Ａ１３，Ａ１４，Ａ１５，Ａ７，Ａ８，Ａ９，Ａ１０，Ａ１１，Ａ１２，Ａ１，Ａ２，Ａ３，Ａ４，Ａ５，Ａ６の順に再生される。また、これに同期して再合成映像データ５３０は、Ｖ１３，Ｖ１４，Ｖ１５，Ｖ７，Ｖ８，Ｖ９，Ｖ１０，Ｖ１１，Ｖ１２，Ｖ１，Ｖ２，Ｖ３，Ｖ４，Ｖ５，Ｖ６の順に再生される。
【００９８】
このように、実施の形態５にかかる再生処理部１０は、音声データだけでなく、音声データに同期した映像データも逆再生することができる。また、映像データを音声データに同期するように編集し、編集後の映像データを編集後の音声データに同期させて再生するので、音声と映像の不一致も生じず、視聴者が違和感を抱くことのない自然な逆再生を行うことができる。
【００９９】
また、このように音声が意味を持つ単位で音声データを聞き取ることができるので、映像データおよび音声データともに自然な逆再生を行うことができる。
【０１００】
なお、実施の形態５にかかる再生処理部１０のこれ以外の構成および処理は、他の実施の形態にかかる再生処理部１０の構成および処理と同様である。
【０１０１】
（実施の形態６）
図１３は、実施の形態６にかかる再生処理システム２の全体構成を示す図である。再生処理システム２は、再生処理装置３と再生装置４とを備えている。
【０１０２】
再生処理装置３は、音声データ取得部１００と、発声部分識別部１０２と、テキストデータ生成部１０４と、分割情報生成部１０６と、記録媒体制御部１２０とを有している。記録媒体制御部１２０は、再生処理装置３に装着された記録媒体９０に、音声データ３００と映像データ−タ５００と分割位置情報３４０とを含む分割情報４００を格納する。
【０１０３】
再生装置４は、再生部１２と、音声出力部４０とを有している。再生部１２は、読出部１２２と、音声データ再生部１１０とを有している。読出部１２２は、再生処理装置３から分割情報４００を取得する。部分音声データ再配列部１０８は、読出部１２２から取得した分割情報４００に基づいて、再合成音声データ３３０を得る。部分映像データ再配列部１３２は、読出部１２２から取得した分割情報４００に基づいて、再合成映像データ５３０を得る。
【０１０４】
なお、再生処理装置３および再生装置４のこれ以外の各部の機能は、実施の形態５にかかる同一の番号を付した各部の機能と同様である。また、これ以外の構成および機能は、実施の形態５にかかる再生処理装置１の構成および機能と同様である。
【０１０５】
実施の形態６にかかる再生処理システム２においても、他の実施の形態にかかる再生処理システム２と同様に、逆再生を行うためのデータ処理を行う装置と、実際に逆再生を行う装置とを別個に設けることにより、安価な再生専用装置で逆再生を行うことができる。
【０１０６】
（実施の形態７）
図１４は、実施の形態７にかかる再生処理装置１における再生処理部１０の機能構成を示すブロック図である。実施の形態７にかかる再生処理装置１においては、記録媒体９０は、部分音声データ再配列部１０８によって再配列された再合成音声データ３３０と、部分映像データ再配列部１３２によって再配列された再合成映像データ５３０とを対応付けて格納している。この点で、実施の形態７にかかる再生処理装置１は、他の実施の形態と異なっている。
【０１０７】
記録媒体９０は、再合成音声データ３３０の形式に再配列された状態で音声データ３００を格納している。また、再合成映像データ５３０の形式に再配列した状態で映像データ５００を格納している。したがって、この場合、分割位置情報は格納しなくてもよい。音声データ再生部１１０は、記録媒体９０に格納されている再合成音声データ３３０を読み出す。また、映像データ再生部１３４は、記録媒体９０に格納されている再合成映像データ５３０を読み出す。
【０１０８】
このように、実施の形態７にかかる再生処理装置１は、逆再生用の音声データおよび映像データを予め格納しておく。したがって、逆再生時には、配列順にしたがってシーケンシャルな読み出し再生を行えばよい。このため逆再生時の処理負担を軽減することができる。
【０１０９】
なお、実施の形態７にかかる再生処理装置１のこれ以外の構成および処理は、他の実施の形態にかかる再生処理装置１の構成および処理と同様である。
【０１１０】
（実施の形態８）
図１５は、実施の形態８にかかる再生処理システム２の全体構成を示す図である。再生処理システム２は、再生処理装置３と再生装置４とを備えている。
【０１１１】
再生処理装置３は、再生処理部１１と、記録媒体９０とを有している。再生処理部１１は、音声データ取得部１００と、発声部分識別部１０２と、テキストデータ生成部１０４と、分割情報生成部１０６と、部分音声データ再配列部１０８と、部分映像データ再配列部１３２と、記録媒体制御部１２０とを有している。記録媒体制御部１２０は、再生処理装置３に装着された記録媒体９０に再合成音声データ３３０および再合成映像データ５３０を対応付けて格納する。
【０１１２】
再生装置４は、再生部１２と、音声出力部４０とを有している。再生部１２は、読出部１２２と、音声データ再生部１１０と、映像データ再生部１３４とを有している。読出部１２２は、再生処理装置３から再合成音声データ３３０および再合成映像データ５３０を対応付けて取得する。音声データ再生部１１０は、読出部１２２が取得した再合成音声データ３３０を再生する。映像データ再生部１３４は、再合成映像データ５３０を再生する。
【０１１３】
なお、再生処理装置３および再生装置４のこれ以外の各部の機能は、実施の形態７にかかる同一の番号を付した各部の機能と同様である。また、これ以外の構成および機能は、実施の形態７にかかる再生処理装置１の構成および機能と同様である。
【０１１４】
実施の形態８においては、このように、再生装置４は、再合成音声データ３３０として音声データを取得し、かつ再合成映像データ５３０として映像データを取得する。したがって、再生装置４は、シーケンシャルな読み出し再生を行うことにより、同期した映像データおよび音声データを逆再生することができる。また、処理コストの高いテキストデータ生成部１０４を切り離し、分割情報を記録させることにより、安価な再生専用装置で逆再生を行うことができる。
【０１１５】
また、実施の形態８にかかる再生処理システム２においては、他の実施の形態にかかる再生処理システム２と同様に、逆再生を行うためのデータ処理を行う装置と、実際に逆再生を行う装置とを別個に設けることにより、安価な再生専用装置で逆再生を行うことができる。
【０１１６】
（実施の形態９）
実施の形態９にかかる再生処理装置１は、音声データにかかる発声と対応する特徴部分を抽出し、特徴部分と音声データとを同期させて逆再生する。この点で、本実施の形態にかかる再生処理装置１は、他の実施の形態にかかる再生処理装置１と異なっている。
【０１１７】
図１６は、実施の形態９にかかる再生処理装置１の全体構成を示す図である。実施の形態９にかかる再生処理装置１の再生処理部１０は、音声データ取得部１００と、発声部分識別部１０２と、テキストデータ生成部１０４と、分割情報生成部１０６と、映像データ取得部１３０と、同期領域映像データ抽出部１４０と、発声照合部１４２と、部分音声データ再配列部１０８と、音声データ再生部１１０と、部分映像データ再配列部１３２と、映像データ再合成部１４４と、映像データ再生部１３４とを有している。
【０１１８】
同期領域映像データ抽出部１４０は、映像データ取得部１３０が外部から取得した映像データから、同期領域映像データを抽出する。ここで、同期領域映像データとは、音声データにかかる発声と対応する特徴部分のデータである。具体的には、例えば、唇の形状を表す特徴点を使うことができる。その他、口の周囲、顔の下半分、顔全体、人物全体などの画像を切り出したものでもよい。
【０１１９】
このように、同期領域は、音声データに対応した動きを伴う領域であればよく、本実施の形態に限定されるものではない。
【０１２０】
図１７は、同期領域映像データ抽出部１４０の処理を説明するための図である。図１７は、「逆方向に」に対応して分割された第１部分音声データ３２１に含まれる３つのフレームＡ’１，Ａ’２，Ａ’３および第１部分映像データ５２１に含まれる３つのフレームＶ’１，Ｖ’２，Ｖ’３を示している。第１部分音声データ３２１および第１部分映像データ５２１は、およそ「ぎゃく」、「ほうこう」および「に」の発声の時点に対応する３つのフレームを含む。同期領域映像データ抽出部１４０は、これらの映像から口周辺の形状に対応する同期領域映像データを抽出する。
【０１２１】
図１７に示すフレームＶ’１，Ｖ’２，Ｖ’３においては、人物の口の領域が同期領域を示す同期領域映像データＭ１，Ｍ２，Ｍ３として抽出される。なお、Ｔ１，Ｔ２，Ｔ３は同期領域以外を示す非同期領域映像データである。
【０１２２】
再び説明を図１６に戻す。発声照合部１４２は、同期領域映像データ抽出部１４０で抽出された同期領域映像データを、発声部分識別部１０２で識別された発声部分の音声データと照合する。そして、照合の結果関連しないと判断された領域は、同期領域から削除する。すなわち、非同期領域データに含まれる。
【０１２３】
これにより、発声と対応する特徴部分のみを精度よく抽出することができる。そして、発声照合部１４２は、削除後に残った同期領域映像データを記録媒体９０に格納する。なお、この発声照合処理を省略し、抽出された映像特徴情報をそのまま記録して使用するようにしてもよい。
【０１２４】
記録媒体９０は、分割情報生成部１０６から取得した分割位置情報３４０と、音声データ取得部１００から取得した音声データ３００と、映像データ取得部１３０から取得した映像データ５００と、発声照合部１４２から取得した同期領域映像データとを含む分割情報４００を格納する。
【０１２５】
部分音声データ再配列部１０８は、実施の形態１にかかる部分音声データ再配列部１０８と同様に記録媒体９０に記録された分割情報４００を参照し、複数の部分音声データを再配列する。音声データ再生部１１０は、部分音声データ再配列部１０８によって配列された音声データを再生する。これにより、意味を把握できる単位での逆再生が可能となる。
【０１２６】
部分映像データ再配列部１３２は、記録媒体９０に記録された分割情報を参照し、複数の部分映像データを再配列する。すなわち、部分映像データ再配列部１３２は、実施の形態５において図１２を参照しつつ説明したように、３つの部分映像データを、映像データの再生方向と逆順に配列する。
【０１２７】
そして、部分映像データに含まれる複数のフレームを以下のように配列する。すなわち、同期領域映像データのフレームは、音声データ中の対応するフレームと同期して配列する。具体的には、図１７に示すＡ’１とＭ１とを対応させ、Ａ’２とＭ２とを対応させ、Ａ’３とＭ３とを対応させる。
【０１２８】
一方、同期領域映像データ以外の領域の映像データのフレームは、部分映像データに分割することなく、全てのフレームを映像データの再生方向と逆順に配列する。
【０１２９】
図１８−１は、部分映像データ再配列部１３２の処理を説明するための図である。説明の便宜上、映像データは、Ｖ’１，Ｖ’２，Ｖ’３のみで構成されているとする。
【０１３０】
この場合、音声データのフレームＡ’１と、同期領域映像データＭ１と、非同期領域映像データＴ３とが対応付けられている。フレームＡ’２と、同期領域映像データＭ２と、非同期領域映像データＴ２とが対応付けられている。フレームＡ’３と、同期領域映像データＭ３と、非同期領域映像データＴ１とが対応付けられている。
【０１３１】
このように、本実施の形態においては、映像データのうち同期領域映像データのみを音声データに同期させる。そして、非同期領域映像データは、通常の逆再生をすべく非同期領域映像データ中の映像データの再生方向に配列された複数のフレームは、映像データの再生方向と逆順に連続して再配列する。
【０１３２】
図１８−２は、部分映像データのフレームＶ’１，Ｖ’２，Ｖ’３の全体を、それぞれ部分音声データのフレームＡ’３，Ａ’２，Ａ’１に対応付けた場合のフレームの配列を示している。
【０１３３】
このように、部分映像データのフレーム全体を部分音声データのフレームと逆順に配列して対応付けた場合、たとえば、「ぎゃ」と発話しているのに口の形が「に」に対応する口の開きの映像が再生される。このように発話と口の動きとが一致しない。このため、視聴者に違和感を抱かせてしまう。
【０１３４】
しかし、実施の形態９にかかる再生処理装置１によれば図１８−１に示すように同期領域と発話とが一致するため、自然な逆再生を行うことができる。また、同期領域以外の領域は通常の逆再生されるため、全体としても自然な逆再生を行うことができる。
【０１３５】
再び説明を図１６に戻す。映像データ再合成部１４４は、部分映像データ再配列部１３２によって配列された同期領域映像データと、非同期領域映像データとを再合成して、逆再生用の再合成映像データを作成する。
【０１３６】
図１９は、映像データ再合成部１４４によって再合成された再合成映像データ５３２を示している。再合成映像データ５３２においては、同期領域映像データのフレームは、再合成音声データ３３０に含まれるフレームに対応して配列されている。また、非同期領域映像データのフレームは、映像データ５００に含まれる全てのフレームが映像データ５００の再生方向と逆順に連続して配列されている。図１９に示す例においては、Ｔ１５，Ｔ１４，・・・Ｔ１の順に配列されている。
【０１３７】
映像データ再生部１３４は、映像データ再合成部１４４によって再合成された再合成映像データ５３２を音声データ再生部１１０が再生する再合成音声データ３３０に同期させて再生する。
【０１３８】
このように、映像データのうち同期領域映像データは、逆再生時に音声データに同期して逆再生される。すなわち、例えば映像データのうち発声する話者の口の部分が音声データに対応して動くので、口と音とが一致し、自然な逆再生を行うことができる。さらに、同期領域以外の領域を単純に逆再生することにより、全体としてより滑らかな逆再生を行うことができる。
【０１３９】
なお、実施の形態９にかかる再生処理装置１のこれ以外の構成および処理は、他の実施の形態にかかる再生処理装置１の構成および処理と同様である。
【０１４０】
（実施の形態１０）
図２０は、実施の形態１０にかかる再生処理システム２の全体構成を示すブロック図である。再生処理システム２は、再生処理装置３と再生装置４とを備えている。また、実施の形態１０においては、他の実施の形態にかかる再生処理システム２と同様に、再生処理装置３および再生装置４は、いずれも記録媒体９０を着脱可能であり、記録媒体９０を介してデータの授受を行う。
【０１４１】
再生処理装置３は、再生処理部１１と、記録媒体９０とを有している。再生処理部１１は、音声データ取得部１００と、発声部分識別部１０２と、テキストデータ生成部１０４と、分割情報生成部１０６と、映像データ取得部１３０と、同期領域映像データ抽出部１４０と、発声照合部１４２と、記録媒体制御部１２０とを有している。記録媒体制御部１２０は、再生処理装置３に装着された記録媒体９０に分割位置情報３４０と音声データ３００と映像データ５００と同期領域映像データとを含む分割情報４００を格納する。
【０１４２】
再生装置４は、再生部１２と、音声出力部４０と、映像出力部４２とを有している。再生部１２は、読出部１２２と、部分音声データ再配列部１０８と、音声データ再生部１１０と、部分映像データ再配列部１３２と、映像データ再合成部１４４と映像データ再生部１３４とを有している。読出部１２２は、再生装置４に装着された記録媒体９０から分割情報４００を取得する。部分音声データ再配列部１０８は、出力部１２０が取得した分割情報４００に基づいて、部分音声データを再配列する。また、部分映像データ再配列部１３２は、出力部１２０が取得した分割情報４００に基づいて部分映像データを再配列する。
【０１４３】
なお、再生処理装置３および再生装置４のこれ以外の各部の機能は、実施の形態９にかかる同一の番号を付した各部の機能と同様である。また、これ以外の構成および機能は、実施の形態９にかかる再生処理装置１の構成および機能と同様である。
【０１４４】
また、テキストデータ生成部１０４の処理に加え、同期領域映像データ抽出部１４０の処理もコストが高い。したがって、処理コストの高いテキストデータ生成部１０４や同期領域映像データ抽出部１４０を切り離し、分割情報や同期領域映像情報を記録させることにより、すなわち、逆再生を行うためのデータ処理を行う装置と、実際に逆再生を行う装置とを別個に設けることにより、安価な再生専用装置で逆再生することができる。
【０１４５】
（実施の形態１１）
図２１は、実施の形態１１にかかる再生処理装置１における再生処理部１０の機能構成を示すブロック図である。実施の形態１１にかかる再生処理装置１においては、記録媒体９０は、部分音声データ再配列部１０８によって再配列された再合成音声データ３３０と、部分映像データ再配列部１３２および映像データ再合成部１４４によって再配列、再合成された再合成映像データ５３２とを対応付けて格納している。この点で、実施の形態１１にかかる再生処理装置１は、他の実施の形態と異なっている。
【０１４６】
記録媒体９０は、再合成音声データ３３０の形式に再配列された状態で音声データ３００を格納している。また、再合成映像データ５３２の形式に再配列した状態で映像データ５００を格納している。したがって、この場合、分割位置情報は格納しなくてもよい。音声データ再生部１１０は、記録媒体９０に格納されている再合成音声データ３３０を読み出す。また、映像データ再生部１３４は、記録媒体９０に格納されている再合成映像データ５３２を読み出す。
【０１４７】
このように、実施の形態１１にかかる再生処理装置１は、逆再生用の音声データおよび映像データを予め格納しておく。したがって、逆再生時には、配列順にしたがってシーケンシャルな読み出し再生を行えばよい。このため逆再生時の処理負担を軽減することができる。
【０１４８】
なお、実施の形態１１にかかる再生処理装置１のこれ以外の構成および処理は、他の実施の形態にかかる再生処理装置１の構成および処理と同様である。
【０１４９】
他の例としては、実施の形態１１にかかる再生処理装置１の記録媒体９０は、再合成音声データ３３０と再合成映像データ５３２とを対応付けて格納したが、これにかえて、同期領域映像データと非同期領域映像データとを合成せずに、別個のデータとして格納してもよい。このように、記録媒体９０は、音声データおよび映像データを逆再生するために必要な情報を格納していればよく、その形式は本実施の形態に限定されるものではない。
【０１５０】
（実施の形態１２）
図２２は、実施の形態１２にかかる再生処理システム２の全体構成を示す図である。再生処理システム２は、再生処理装置３と再生装置４とを備えている。また、実施の形態２においては、再生処理装置３および再生装置４は、いずれも記録媒体９０を着脱可能であり、記録媒体９０を介してデータの授受を行う。
【０１５１】
再生処理装置３は、音声データ取得部１００と、発声部分識別部１０２と、テキストデータ生成部１０４と、分割情報生成部１０６と、部分音声データ再配列部１０８と、映像データ取得部１３０と、同期領域映像データ抽出部１４０と、発声照合部１４２と、部分映像データ再配列部１３２と、映像データ再合成部１４４と、記録媒体制御部１２０とを有している。記録媒体制御部１２０は、再生処理装置３に装着された記録媒体９０に再合成音声データ３３０と、再合成映像データ５３２とを格納する。
【０１５２】
再生装置４は、再生部１２と、音声出力部４０と、映像出力部４２とを有している。再生部１２は、読出部１２２と、音声データ再生部１１０と、映像データ再生部１３４とを有している。読出部１２２は、再生装置４に装着された記録媒体９０から再合成音声データ３３０および再合成映像データ５３２を対応付けて取得する。音声データ再生部１１０は、読出部１２２が取得した再合成音声データ３３０を再生する。映像データ再生部１３４は、再合成映像データ５３２を再生する。
【０１５３】
なお、再生処理装置３および再生装置４のこれ以外の各部の機能は、実施の形態１１にかかる同一の番号を付した各部の機能と同様である。また、これ以外の構成および機能は、実施の形態１１にかかる再生処理装置１の構成および機能と同様である。
【０１５４】
（実施の形態１３）
図２３は、実施の形態１３にかかる再生処理装置１における再生処理部１０の機能構成を示すブロック図である。実施の形態１１にかかる再生処理装置１においては、記録媒体９０は、部分音声データ再配列部１０８によって再配列された再合成音声データ３３０と、部分映像データ再配列部１３２によって再配列された再配列映像データとを対応付けて格納している。この点で、実施の形態１３にかかる再生処理装置１は、他の実施の形態と異なっている。
【０１５５】
記録媒体９０は、再合成音声データ３３０の形式に再配列された状態で音声データ３００を格納している。また、再配列映像データの形式に再配列した状態で映像データ５００を格納している。したがって、この場合、分割位置情報は格納しなくてもよい。音声データ再生部１１０は、記録媒体９０に格納されている再合成音声データ３３０を読み出す。また、映像データ再合成部１４４は、記録媒体９０に格納されている再配列映像データを読み出す。
【０１５６】
このように、実施の形態１３にかかる再生処理装置１は、逆再生用の音声データおよび映像データを予め格納しておく。したがって、逆再生時の処理負担を軽減することができる。
【０１５７】
なお、実施の形態１３にかかる再生処理装置１のこれ以外の構成および処理は、他の実施の形態にかかる再生処理装置１の構成および処理と同様である。
【０１５８】
（実施の形態１４）
図２４は、実施の形態１４にかかる再生処理システム２の全体構成を示す図である。再生処理システム２は、再生処理装置３と再生装置４とを備えている。また、実施の形態２においては、再生処理装置３および再生装置４は、いずれも記録媒体９０を着脱可能であり、記録媒体９０を介してデータの授受を行う。
【０１５９】
再生処理装置３は、音声データ取得部１００と、発声部分識別部１０２と、テキストデータ生成部１０４と、分割情報生成部１０６と、部分音声データ再配列部１０８と、映像データ取得部１３０と、同期領域映像データ抽出部１４０と、発声照合部１４２と、部分映像データ再配列部１３２と、記録媒体制御部１２０とを有している。記録媒体制御部１２０は、再生処理装置３に装着された記録媒体９０に再合成音声データ３３０と、再合成映像データ５３２とを格納する。
【０１６０】
再生装置４は、再生部１２と、音声出力部４０と、映像出力部４２とを有している。再生部１２は、読出部１２２と、音声データ再生部１１０と、映像データ再合成部１４４と、映像データ再生部１３４とを有している。読出部１２２は、再生装置４に装着された記録媒体９０から再合成音声データ３３０および再配列映像データを対応付けて取得する。音声データ再生部１１０は、読出部１２２が取得した再合成音声データ３３０を再生する。映像データ再合成部１４４は、再配列映像データを再合成し再合成映像データ５３２を得る。
【０１６１】
なお、再生処理装置３および再生装置４のこれ以外の各部の機能は、実施の形態１３にかかる同一の番号を付した各部の機能と同様である。また、これ以外の構成および機能は、実施の形態１３にかかる再生処理装置１の構成および機能と同様である。
【図面の簡単な説明】
【０１６２】
【図１】実施の形態１にかかる再生処理装置１に特徴的な再生処理を行う再生処理部１０の機能構成を示すブロック図である。
【図２】分割情報生成部１０６の処理を説明するための図である。
【図３】記録媒体９０のデータ構成を模式的に示す図である。
【図４】部分音声データ再配列部１０８および音声データ再生部１１０の処理を説明するための図である。
【図５】実施の形態１にかかる再生処理部１０のハードウェア構成を示す図である。
【図６】実施の形態２にかかる再生処理システム２の全体構成を示す図である。
【図７】実施の形態３にかかる再生処理装置１における再生処理部１０の機能構成を示すブロック図である。
【図８】実施の形態４にかかる再生処理システム２の全体構成を示す図である。
【図９】実施の形態５にかかる再生処理装置１における再生処理部１０の機能構成を示すブロック図である。
【図１０】実施の形態５にかかる記録媒体９０のデータ構成を模式的に示す図である。
【図１１】実施の形態５にかかる部分映像データ再配列部１３２の処理を説明するための図である。
【図１２】音声データ再生部１１０が再生する再合成音声データ３３０と映像データ再生部１３４が再生する再合成映像データ５３０とを示す図である。
【図１３】実施の形態６にかかる再生処理システム２の全体構成を示す図である。
【図１４】実施の形態７にかかる再生処理装置１における再生処理部１０の機能構成を示すブロック図である。
【図１５】実施の形態８にかかる再生処理システム２の全体構成を示す図である。
【図１６】実施の形態９にかかる再生処理装置１の全体構成を示す図である。
【図１７】同期領域映像データ抽出部１４０の処理を説明するための図である。
【図１８−１】部分映像データ再配列部１３２の処理を説明するための図である。
【図１８−２】部分映像データのフレームＶ’１，Ｖ’２，Ｖ’３の全体を、それぞれ部分音声データのフレームＡ’３，Ａ’２，Ａ’１に対応付けた場合のフレームの配列を示す図である。
【図１９】映像データ再合成部１４４によって再合成された再合成映像データ５３２を示す図である。
【図２０】実施の形態１０にかかる再生処理システム２の全体構成を示すブロック図である。
【図２１】実施の形態１１にかかる再生処理装置１における再生処理部１０の機能構成を示すブロック図である。
【図２２】実施の形態１２にかかる再生処理システム２の全体構成を示す図である。
【図２３】実施の形態１３にかかる再生処理装置１における再生処理部１０の機能構成を示すブロック図である。
【図２４】実施の形態１４にかかる再生処理システム２の全体構成を示す図である。
【符号の説明】
【０１６３】
１  再生処理装置
２  再生処理システム
３  再生処理装置
４  再生装置
１０  再生処理部
１２  再生部
２２  発声部分識別部
４０  音声出力部
４２  映像出力部
５１  ＣＰＵ
５２  ＲＯＭ
５３  ＲＡＭ
５７  通信I／Ｆ
６２  バス
９０  記録媒体
１００  音声データ取得部
１０２  発声部分識別部
１０４  テキストデータ生成部
１０６  分割情報生成部
１０８  部分音声データ再配列部
１１０  音声データ再生部
１２０  記録媒体制御部
１２２  読出部
１３０  映像データ取得部
１３２  部分映像データ再配列部
１３４  映像データ再生部
１４０  同期領域映像データ抽出部
１４２  発声照合部
１４４  映像データ再合成部
３００  音声データ
３１１，３１２  分割位置
３２１  第１部分音声データ
３２２  第２部分音声データ
３２３  第３部分音声データ
３３０  再合成音声データ
３４０  分割位置情報
４００  分割情報
５００  映像データ
５１１，５１２  分割位置
５２１  第１部分映像データ
５２２  第２部分映像データ
５２３  第３部分映像データ
５３０，５３２  再合成映像データ
【図１】
2006276793.tif 000003
【図２】
2006276793.tif 000004
【図３】
2006276793.tif 000005
【図４】
2006276793.tif 000006
【図５】
2006276793.tif 000007
【図６】
2006276793.tif 000008
【図７】
2006276793.tif 000009
【図８】
2006276793.tif 000010
【図９】
2006276793.tif 000011
【図１０】
2006276793.tif 000012
【図１１】
2006276793.tif 000013
【図１２】
2006276793.tif 000014
【図１３】
2006276793.tif 000015
【図１４】
2006276793.tif 000016
【図１５】
2006276793.tif 000017
【図１６】
2006276793.tif 000018
【図１７】
2006276793.tif 000019
【図１８−１】
2006276793.tif 000020
【図１８−２】
2006276793.tif 000021
【図１９】
2006276793.tif 000022
【図２０】
2006276793.tif 000023
【図２１】
2006276793.tif 000024
【図２２】
2006276793.tif 000025
【図２３】
2006276793.tif 000026
【図２４】
2006276793.tif 000027